(57)【要約】【課題】  電子写真方式による画像形成装置のシートに対する画像の形成条件を調整する方法、およびこの方法を用いて調整を行う画像形成装置を提供する。【解決手段】  予め決められた画像データに基づいて、少なくともシートの３つの角部を含む領域に画像を形成する形成工程を含み、これによりシートに形成された画像を読取手段で読み取り、読み取った読取データからシートに対する画像の形成条件を補正する補正値を求め、該補正値を用いて画像形成装置を調整する。【選択図】  なし【特許請求の範囲】
【請求項１】
予め決められた画像データに基づいて、少なくともシートの３つの角部を含む領域に画像を形成する形成工程を含み、これによりシートに形成された画像を読取手段で読み取り、読み取った読取データからシートに対する画像の形成条件を補正する補正値を求め、該補正値を用いて画像形成装置を調整することを特徴とする画像形成装置の調整方法。
【請求項２】
上記形成工程において、シートの縁辺全てを含む領域に画像を形成することを特徴とする請求項１に記載の画像形成装置の調整方法。
【請求項３】
上記補正値は、上記シートのサイズを基準として求められることを特徴とする請求項１または２に記載の画像形成装置の調整方法。
【請求項４】
上記形成工程では、画像形成装置の副走査方向にシートの長手方向が設けられていることを特徴とする請求項１または２に記載の画像形成装置の調整方法。
【請求項５】
上記読取手段の副走査方向にシートの長手方向を設けて読み取りを行うことを特徴とする請求項１または２に記載の画像形成装置の調整方法。
【請求項６】
上記読取手段の読取領域にシートを載置するときに、読取手段の原稿基準部材とシートの端部との間に隙間を設けることを特徴とする請求項１または２に記載の画像形成装置の調整方法。
【請求項７】
さらに、上記読取手段で上記シートのサイズを読み取る工程を含むことを特徴とする請求項１ないし３のいずれか１項に記載の画像形成装置の調整方法。
【請求項８】
さらに、上記シートに形成された画像のうち、シートの搬送方向と直交する方向の前方に形成された画像の幅を求める工程を含むことを特徴とする請求項７に記載の画像形成装置の調整方法。
【請求項９】
さらに、上記シートに形成された画像のうち、シートの搬送方向と平行な方向の前方に形成された画像の幅を求める工程を含むことを特徴とする請求項７に記載の画像形成装置の調整方法。
【請求項１０】
上記読取手段は３色の光電変換素子を備えたカラー読取手段であり、上記３色の光電変換素子のうちいずれか１色の光電変換素子を用いて上記シートに形成された画像を読み取ることを特徴とする請求項１ないし３のいずれか１項に記載の画像形成装置の調整方法。
【請求項１１】
上記読取手段は、シートに画像を形成するときに使用する色材の補色となる色の光電変換素子を用いて読み取りを行うことを特徴とする請求項１０に記載の画像形成装置の調整方法。
【請求項１２】
請求項１ないし１１のいずれか１項に記載の方法を用いて調整を行う画像形成装置であって、
画像データに応じて、像担持体に静電潜像を形成する書込み手段と、
シートを搬送する搬送手段と、
シートに形成された画像を読み取る読取手段と、
上記読取手段でシートに形成された画像を読取ることで得られる読取データからシートに対する画像の形成条件を補正する補正値を求める演算手段と、
予め決められた画像データに基づいて、少なくともシートの３つの角部を含む領域に画像を形成するよう上記書込み手段の動作を制御し、上記補正値に基づいて上記書込み手段および上記搬送手段の動作を制御する制御手段とを有することを特徴とする画像形成装置。
【請求項１３】
請求項１ないし１１のいずれか１項に記載の方法で調整を行う画像形成装置であって、
画像データに応じて、像担持体に静電潜像を形成する書込み手段と、
シートを搬送する搬送手段と、
読取手段でシートに形成された画像を読み取ることで得られる読取データが入力されるデータ入力手段と、
上記読取データから得られるシートに対する画像の形成条件を補正する補正値が入力される操作手段と、
予め決められた画像データに基づいて、少なくともシートの３つの角部を含む領域に画像を形成するよう上記書込み手段の動作を制御し、上記補正値に基づいて上記書込み手段および上記搬送手段の動作を制御する制御手段とを有することを特徴とする画像形成装置。
【請求項１４】
さらにレジスト補正データを有しているとともに、複数の色材を用いて画像を形成するために複数の画像形成ステーションを備えており、上記色材のうち１つの色材を用いて上記形成工程を行うことを特徴とする請求項１２または１３に記載の画像形成装置。
【請求項１５】
上記複数の画像形成ステーションではそれぞれ異なる調整を行うことを特徴とする請求項１４に記載の画像形成装置。
【請求項１６】
画像形成装置と画像読取装置とを含む画像形成システムを調整する画像形成システムの調整方法であって、
シートに対する画像の形成条件を補正するための形成補正値およびシートに対する画像の読取条件を補正するための読取補正値を求めるために、上記シートのサイズに応じて予め定めたデータに基づいて、上記シートの少なくとも３つの角部を含む領域に、上記シートをはみ出すようにして、上記画像形成装置を用いて画像を形成する画像形成工程と、
上記画像形成工程において画像が形成された上記シートを上記画像読取装置にて読取ることによって、上記形成補正値および上記読取補正値を求める補正値取得工程とを含んでおり、
さらに、上記補正値取得工程にて取得した上記読取補正値を用いて、上記画像読取装置におけるシートに対する画像の読取条件を補正する読取補正工程、および上記補正値取得工程にて取得した上記形成補正値を用いて、上記画像形成装置におけるシートに対する画像の形成条件を補正する形成補正工程、を有していることを特徴とする画像形成システムの調整方法。
【請求項１７】
上記画像形成工程において、上記シートの少なくとも３つの角部を含む領域として、上記シートの縁辺全てを含む領域に、枠状の枠画像を形成することを特徴とする請求項１６に記載の画像形成システムの調整方法。
【請求項１８】
上記補正値取得工程において、上記読取補正値を、上記シートのサイズを基準として求めることを特徴とする請求項１６に記載の画像形成システムの調整方法。
【請求項１９】
上記画像形成工程において、上記シートとして、上記画像読取装置の読取り可能な最大サイズに満たないサイズのシートを使用することを特徴とする請求項１６に記載の画像形成システムの調整方法。
【請求項２０】
上記シートの長手寸法が、上記画像読取装置の読取り可能な最大サイズのシートの短手寸法と同じである場合に、
上記画像形成工程において、上記シートの長手方向が上記シートの搬送方向と平行となるように上記シートに画像を形成し、
上記補正値取得工程において、上記画像読取装置の原稿台に設けられた原稿基準部材に対して上記シートの短手側の辺が平行となるように、または当接させるように、上記原稿台に載置された上記シートを読取ることを特徴とする請求項１６に記載の画像形成システムの調整方法。
【請求項２１】
上記補正値取得工程において、上記画像読取装置の原稿台に設けられた原稿基準部材の基準マークに合わせるように上記原稿台に載置された上記シートから、上記シートに形成された上記枠画像の外枠を読取ることによって上記読取補正値を求め、
上記読取補正工程において、上記読取補正値を用いて、上記画像読取装置の読取領域を補正することを特徴とする請求項１７に記載の画像形成システムの調整方法。
【請求項２２】
上記補正値取得工程が、上記読取補正値として、上記枠画像の外枠の主走査方向における両端位置を読取ることによって、上記画像読取装置の読取領域における主走査方向のセンター位置の補正値を求める主走査読取補正値取得工程を含んでいることを特徴とする請求項２１に記載の画像形成システムの調整方法。
【請求項２３】
上記補正値取得工程が、上記読取補正値として、上記枠画像の外枠の副走査方向の読取りにおける後端位置を読取ることによって、上記画像読取装置の副走査方向における読取開始位置の補正値を求める副走査読取補正値取得工程を含んでいることを特徴とする請求項２１に記載の画像形成システムの調整方法。
【請求項２４】
上記補正値取得工程が、上記シートに形成された上記枠画像の外枠と内枠とを読取ることによって、上記形成補正値として、上記画像形成装置の画像書込み倍率と画像書込み開始タイミングとの補正値を求める形成補正値取得工程を含んでいることを特徴とする請求項２１に記載の画像形成システムの調整方法。
【請求項２５】
上記補正値取得工程が、上記読取補正値として、読取位置ずれの補正値を取得する読取位置補正値取得工程を含んでいることを特徴とする請求項２４に記載の画像形成システムの調整方法。
【請求項２６】
上記補正値取得工程において、上記シートを上記画像読取装置にて一度のみ読取ることによって、上記読取位置補正値取得工程および上記形成補正値取得工程を行うことを特徴とする請求項２５に記載の画像形成システムの調整方法。
【請求項２７】
上記補正値取得工程が、上記読取位置補正値取得工程の前に、上記読取補正値として、読取倍率の補正値を取得する読取倍率補正値取得工程を含んでいることを特徴とする請求項２５に記載の画像形成システムの調整方法。
【請求項２８】
上記補正値取得工程において、上記シートを上記画像読取装置にて一度のみ読取ることによって、上記読取位置補正値取得工程および上記読取倍率補正値取得工程を行うことを特徴とする請求項２７に記載の画像形成システムの調整方法。
【請求項２９】
シートに画像を形成するための画像形成部と、上記画像形成部によって上記シートに形成された画像を読取るための読取手段と、上記読取手段にて上記シートを読み取って得た、上記画像形成部による上記シートに対する画像の形成条件を補正する補正値を求めるための演算手段とを有し、上記画像形成部が上記演算手段の求めた上記補正値を用いて画像形成を行う画像形成システムであって、
上記補正値を求めるために、上記画像形成部が、上記シートのサイズに応じて予め定めたデータに基づいて、上記シートの少なくとも３つの角部を含む領域に、上記シートをはみ出すようにして画像を形成することを特徴とする画像形成システム。
【請求項３０】
上記画像形成部は、複数の色材を用いて画像を形成可能であり、
上記画像形成部は、上記補正値を求めるために、少なくとも何れか１つの色材を用いて画像を形成することを特徴とする請求項２９に記載の画像形成システム。
【請求項３１】
上記読取手段は、３原色の光電変換素子を備えた、カラー画像を読取るカラー読取手段であり、
上記読取手段が、上記画像形成部によって上記シートに形成された画像を読取る際に、上記３原色の光電変換素子のうち何れか１色の上記光電変換素子を用いて読取りを行うことを特徴とする請求項３０に記載の画像形成システム。
【請求項３２】
上記画像形成部によって上記シートに形成された画像を読取る際に、上記読取手段は、上記３原色の光電変換素子のうち、上記画像形成部が上記シートに画像を形成したときに使用した色材に対して補色となる色の上記光電変換素子を用いて読取りを行うことを特徴とする請求項３１に記載の画像形成システム。
【請求項３３】
ユーザからの入力指示を検出する操作手段を備えており、
上記操作手段が、上記画像形成部の使用するシートの外形寸法、またはその補正寸法値の入力指示を検出することを特徴とする請求項２９に記載の画像形成システム。
【請求項３４】
画像読取装置におけるシートに対する画像の読取条件を補正するための読取補正値を取得する読取補正値取得工程と、上記読取補正値取得工程にて取得した上記読取補正値を用いて上記画像読取装置におけるシートに対する画像の読取条件を補正する読取補正工程とを含む画像読取装置の調整方法において、
上記読取補正値取得工程において上記シートから上記読取補正値を求めるために、上記読取補正値取得工程よりも前に、上記シートのサイズに応じて予め定めたデータに基づいて、上記シートの少なくとも３つの角部を含む領域に、上記シートをはみ出すようにして、上記画像読取装置に接続された画像形成装置を用いて画像を形成する画像形成工程を含んでいることを特徴とする画像読取装置の調整方法。
【請求項３５】
上記形成工程において、上記画像形成装置の各シート収容手段からそれぞれ給送したシートに、シート収容手段に対応させて予め定めた識別マークを付加して画像を形成し、
これによりシートに形成された画像を読取手段で読取り、読み取った読取データからシートに対する画像の形成条件を補正する補正値をシート収容手段に対応させて求め、該補正値を用いて画像形成装置を調整することを特徴とする請求項１ないし１１のいずれか１項に記載の画像形成装置の調整方法。
【請求項３６】
上記形成工程においてシート収容手段に対応した識別マークが付加された画像が形成された複数のシートを、その後にまとめて読取手段にて読取り、それぞれのシートに対する画像の形成条件を補正する補正値を求め、シート収容手段に対応させてシートに対する画像の形成条件を調整することを特徴とする請求項３５に記載の画像形成装置の調整方法。
【請求項３７】
上記複数のシートを、上記読取手段の読取部に原稿を給送する原稿搬送装置にて順次給送することによって、上記読取手段にて読取りすることを特徴とする請求項３６に記載の画像形成装置の調整方法。
【請求項３８】
上記識別マークが、上記形成工程における上記画像形成装置の画像形成部での搬送方向を表示することを特徴とする、請求項３５ないし３７のいずれか１項に記載の画像形成装置の調整方法。
【請求項３９】
異なるシート収容手段から給送されて画像の形成された複数のシートを読取りして上記補正値を求めるときに、画像を形成する倍率の補正値についてはいずれか１つのシートを読取りして求め、画像を形成する位置の補正値についてはシートをそれぞれ読取りして求めることを特徴とする請求項３５ないし３８のいずれか１項に記載の画像形成装置の調整方法。
【請求項４０】
上記複数のシートを読取手段にて読取ったとき、同一のシート収容手段より給送されたシートを複数認識した場合には、同一のシート収容手段より給送されたシートから得られた補正値を平均化して、そのシート収容手段についての補正値とすることを特徴とする請求項３５ないし３９のいずれか１項に記載の画像形成装置の調整方法。
【請求項４１】
シート収容手段から給送されるシートに画像を形成する画像形成部と、上記画像形成部による上記シートに対する画像の形成条件を補正する補正値を求める演算手段とを有し、上記画像形成部が上記演算手段の求めた上記補正値を用いて画像形成を行う画像形成装置であって、
上記補正値を求めるために、上記画像形成部が、上記シート収容手段から給送されるシートに対して、上記シートのサイズに応じて予め定めたデータに基づいて、上記シートの少なくとも３つの角部を含む領域に、上記シートをはみ出すようにして画像を形成するとともに、シート収容手段に対応させて予め定めた識別マークを上記画像とともに上記シートに形成し、
上記シートに形成した画像を上記画像形成部に接続可能な読取手段によって画像データとして読み取って、上記読取手段から送信された上記画像データを用いて上記演算手段にて上記シート収容手段に対応させて上記補正値を求め、上記画像形成部が上記シート収容手段に対応させてシートに対する画像の形成条件を調整することを特徴とする画像形成装置。
【請求項４２】
ユーザによる選択指示を検出する操作手段を備え、
シートに調整用の画像を形成するときに、１つのシート収容手段から複数のシートを給送して、調整用の画像が形成されたシートを出力するモードと、複数のシート収容手段からそれぞれシートを給送して、調整用の画像が形成されたシートを出力するモードとが、上記操作手段にて選択可能であることを特徴とする請求項４１記載の画像形成装置。
【請求項４３】
請求項４１または４２に記載の画像形成装置と、
上記画像形成装置の上記画像形成部によって画像が形成された複数のシートをまとめて読取り、読取って得た画像データを上記画像形成装置へと送信する読取手段とを含み、
上記画像形成装置が、上記読取手段から送信された画像データを用いて、上記演算手段にて上記シート収容手段ごとに補正値を求めて、シートに対する画像の形成条件を調整することを特徴とする画像形成システム。
【発明の詳細な説明】
【技術分野】
【０００１】
本発明は、画像形成装置の調整方法、画像形成装置、画像形成システムの調整方法、画像形成システムおよび画像読取装置の調整方法に関するものである。
【背景技術】
【０００２】
電子写真方式を用いる画像形成装置の例として、複写機、プリンタ、ファクシミリ等がある。これらの画像形成装置では、例えば周辺機器から入力される画像データに基づいて、シート上に画像形成を行う。
【０００３】
ここで、シート上に印刷された画像の位置が、入力された画像データにおける本来の画像の位置と位置ずれを生ずる場合がある。このような、シートに対する画像形成位置のずれは、シートを搬送する搬送手段によるシートの搬送位置と、画像データに基づいて像担持体（感光体ドラム）に書き込まれた画像の位置とのずれにより発生する。
【０００４】
位置ずれを補正するためには、例えばシートの搬送位置を所定の位置に調整し、さらに画像の形成位置を所定の位置に調整する。このようにして、シートの正しい位置に画像が形成されるように調整できる。また、像担持体に形成された画像、あるいはシート搬送手段によって搬送されるシートの位置のいずれかに、他方の位置が合うように調整してもよい。
【０００５】
例えば、特許文献１に記載の構成では、画像形成装置内に予め記憶されている基準画像データをシートに出力し、そのシートを画像読取装置にて読み取ることで、シートに対する画像の形成位置を調整している。また、例えば特許文献２に記載の構成では、まず調整前の画像を形成し、それを読取手段で確認することで、シートに対する画像の形成位置を調整している。また、特許文献３・特許文献４には、テストチャートを用いて調整する構成が開示されている。
【０００６】
また、近年、画像形成の多様化に伴い、複数の種類のシートを効率よく使用できるように、画像形成装置に多段のシート収容手段が装着されることがある。例えば、特許文献５には、給紙カセットを複数備えたファクシミリ装置において、カセットを選択し、カセット単位による書き込み位置調整を行う構成が開示されている。
【特許文献１】特開平７−１２５３１４号公報（公開日：１９９５年５月１６日）
【特許文献２】特開平１０−１８６９９４号公報（公開日：１９９８年７月１４日）
【特許文献３】特開平８−２６５５６０号公報（公開日：１９９６年１０月１１日）
【特許文献４】特開２００３−６９７８９号公報（公開日：２００３年３月７日）
【特許文献５】特開平１０−４４９３号公報（公開日：１９９８年１月６日）
【発明の開示】
【発明が解決しようとする課題】
【０００７】
しかしながら、上述の従来の構成においては、位置ずれを正確に読取るため、基準となる画像のテストチャート等を周辺機器の画像読取装置を用いて読取る際に、正しく調整の済んだ、読取りずれのない画像読取装置が必要になるという問題がある。また、画像形成装置の調整のために多数回の操作が必要となり、調整が面倒であるという問題がある。
【０００８】
すなわち、従来の構成においては、まず発生している位置ずれを正しく把握するために、シート上に形成された画像を例えば目視で確認し、位置ずれの状態や量を画像読取装置で判断する。そして、その結果に基づいて画像形成装置を調整している。このため、読取りずれのある画像読取装置を用いると、位置ずれを正しく把握することができずに、調整できなくなってしまう。なお、このような調整は、製造段階、サービスマンによる設置段階や、画像形成に関わる部品やユニットを交換した場合等に、組立て調整担当者やサービスマンが行っている。
【０００９】
また、例えば画像形成装置と画像読取装置とがセットとなった複合機（複写装置）を考えると、この複合機の画像形成を調整するためには、画像読取装置側の調整も必須となる。すなわち、画像データを画像形成装置に入力するための画像読取装置では、原稿を読取った場合に位置ずれした画像データが生成してしまうと、そのままの状態でデータを画像形成装置に入力してしまう。このため、調整が完了している画像形成装置であっても、位置ずれした画像形成が行われる。なお、画像読取装置も、このように読取位置の調整が必要となるので、組立て調整担当者やサービスマンが調整を行っている。
【００１０】
このため、例えば画像形成装置に画像読取装置がセットされた複合機（複写装置）では、基準のデータに基づいて画像形成され出力された印刷物（画像形成物：テストチャート）を画像読取装置で読取り、画像形成装置のシートに対する画像の位置や倍率を調整するのが一般的である。そのためには、調整済みの画像読取装置が必要となる。つまり、画像読取装置と画像形成装置の両者が調整前の状態である場合には、画像読取装置が先に調整されその後に画像形成装置を調整する手順で調整がされる。
【００１１】
この場合、画像読取装置を調整するために基準となる原稿（基準チャート）が必要となり、サービスマンなどは常にその基準チャート持参する必要がある。また、基準チャートを忘れた場合には調整ができないという問題がある。
【００１２】
また、従来は、テストチャートを読み込んで画像読取装置を調整した後に、再度テストチャートを読み取って、そのデータを画像形成装置にてシートに印刷し、そのシートを再度読み取りして画像形成装置を調整するといった手順で調整をしている。このため、調整のための操作が多数回にわたり、非常に面倒であるという問題がある。
【００１３】
また、シートを収容する収容手段が画像形成装置に複数設けられている場合に、シートに形成する画像の位置や倍率を調整する際には、調整をシート収容手段ごとに行うことになる。しかしながら、収容手段を区別してそれぞれ調整を行う作業は非常に面倒である。
【００１４】
本発明は、上記の問題点に鑑みてなされたものであり、その目的は、形成された画像を読み取る読取装置等の読取手段が正しく調整されていなくても、画像形成装置のシートに対する画像の位置や倍率など、画像の形成条件の調整を正しく行うことのできる画像形成装置の調整方法と、その方法を用いて調整を行う画像形成装置を提供することにある。
【００１５】
また、本発明は、画像読取装置と上述の画像形成装置とを備え、画像読取装置の画像読取条件の調整を正しく行うことのできる画像形成システムの調整方法、および画像形成システムを提供することを目的とする。また、本発明は、上述の画像形成装置と組み合わせて、画像読取条件の調整を正しく行うことのできる画像読取装置の調整方法を提供することも目的とする。
【００１６】
また、本発明は上記の問題に臨みて、シートを収容する収容手段が画像形成装置に複数設けられている場合であっても、シート収容手段ごとの調整を容易に行うことのできる画像形成装置の調整方法、画像形成装置、および画像形成システムを提供することも目的とする。
【課題を解決するための手段】
【００１７】
本発明に係る画像形成装置の調整方法は、上記課題を解決するために、予め決められた画像データに基づいて、少なくともシートの３つの角部を含む領域に画像を形成する形成工程を含み、これによりシートに形成された画像を読取手段で読み取り、読み取った読取データからシートに対する画像の形成条件を補正する補正値を求め、該補正値を用いて画像形成装置を調整することを特徴としている。
【００１８】
本発明に係る画像形成装置の調整方法は、上記課題を解決するために、上記構成において、上記形成工程において、シートの縁辺全てを含む領域に画像を形成することを特徴としている。
【００１９】
本発明に係る画像形成装置の調整方法は、上記課題を解決するために、上記構成において、上記補正値は、上記シートのサイズを基準として求められることを特徴としている。
【００２０】
本発明に係る画像形成装置の調整方法は、上記課題を解決するために、上記構成において、上記形成工程では、画像形成装置の副走査方向にシートの長手方向が設けられていることを特徴としている。
【００２１】
本発明に係る画像形成装置の調整方法は、上記課題を解決するために、上記構成において、上記読取手段の副走査方向にシートの長手方向を設けて読み取りを行うことを特徴としている。
【００２２】
本発明に係る画像形成装置の調整方法は、上記課題を解決するために、上記構成において、上記読取手段の読取領域にシートを載置するときに、読取手段の原稿基準部材とシートの端部との間に隙間を設けることを特徴としている。
【００２３】
本発明に係る画像形成装置の調整方法は、上記課題を解決するために、上記構成において、さらに、上記読取手段で上記シートのサイズを読み取る工程を含むことを特徴としている。
【００２４】
本発明に係る画像形成装置の調整方法は、上記課題を解決するために、上記構成において、さらに、上記シートに形成された画像のうち、シートの搬送方向と直交する方向の前方に形成された画像の幅を求める工程を含むことを特徴としている。
【００２５】
本発明に係る画像形成装置の調整方法は、上記課題を解決するために、上記構成において、さらに、上記シートに形成された画像のうち、シートの搬送方向と平行な方向の前方に形成された画像の幅を求める工程を含むことを特徴としている。
【００２６】
本発明に係る画像形成装置の調整方法は、上記課題を解決するために、上記構成において、上記読取手段は３色の光電変換素子を備えたカラー読取手段であり、上記３色の光電変換素子のうちいずれか１色の光電変換素子を用いて上記シートに形成された画像を読み取ることを特徴としている。
【００２７】
本発明に係る画像形成装置の調整方法は、上記課題を解決するために、上記構成において、上記読取手段は、シートに画像を形成するときに使用する色材の補色となる色の光電変換素子を用いて読み取りを行うことを特徴としている。
【００２８】
本発明に係る画像形成装置は、上記課題を解決するために、上述のいずれかの調整方法を用いて調整を行う画像形成装置であって、画像データに応じて、像担持体に静電潜像を形成する書込み手段と、シートを搬送する搬送手段と、シートに形成された画像を読み取る読取手段と、上記読取手段でシートに形成された画像を読取ることで得られる読取データからシートに対する画像の形成条件を補正する補正値を求める演算手段と、予め決められた画像データに基づいて、少なくともシートの３つの角部を含む領域に画像を形成するよう上記書込み手段の動作を制御し、上記補正値に基づいて上記書込み手段および上記搬送手段の動作を制御する制御手段とを有することを特徴としている。
【００２９】
本発明に係る画像形成装置は、上記課題を解決するために、上述のいずれかの調整方法で調整を行う画像形成装置であって、画像データに応じて、像担持体に静電潜像を形成する書込み手段と、シートを搬送する搬送手段と、読取手段でシートに形成された画像を読み取ることで得られる読取データが入力されるデータ入力手段と、上記読取データから得られるシートに対する画像の形成条件を補正する補正値が入力される操作手段と、予め決められた画像データに基づいて、少なくともシートの３つの角部を含む領域に画像を形成するよう上記書込み手段の動作を制御し、上記補正値に基づいて上記書込み手段および上記搬送手段の動作を制御する制御手段とを有することを特徴としている。
【００３０】
本発明に係る画像形成装置は、上記課題を解決するために、上記構成において、さらにレジスト補正データを有しているとともに、複数の色材を用いて画像を形成するために複数の画像形成ステーションを備えており、上記色材のうち１つの色材を用いて上記形成工程を行うことを特徴としている。
【００３１】
本発明に係る画像形成装置は、上記課題を解決するために、上記構成において、上記複数の画像形成ステーションではそれぞれ異なる調整を行うことを特徴としている。
【００３２】
本発明に係る画像形成システムの調整方法は、画像形成装置と画像読取装置とを含む画像形成システムを調整する画像形成システムの調整方法であって、シートに対する画像の形成条件を補正するための形成補正値およびシートに対する画像の読取条件を補正するための読取補正値を求めるために、上記シートのサイズに応じて予め定めたデータに基づいて、上記シートの少なくとも３つの角部を含む領域に、上記シートをはみ出すようにして、上記画像形成装置を用いて画像を形成する画像形成工程と、上記画像形成工程において画像が形成された上記シートを上記画像読取装置にて読取ることによって、上記形成補正値および上記読取補正値を求める補正値取得工程とを含んでおり、さらに、上記補正値取得工程にて取得した上記読取補正値を用いて、上記画像読取装置におけるシートに対する画像の読取条件を補正する読取補正工程、および上記補正値取得工程にて取得した上記形成補正値を用いて、上記画像形成装置におけるシートに対する画像の形成条件を補正する形成補正工程、を有していることを特徴としている。
【００３３】
本発明に係る画像形成システムの調整方法は、上記構成において、上記画像形成工程において、上記シートの少なくとも３つの角部を含む領域として、上記シートの縁辺全てを含む領域に、枠状の枠画像を形成することを特徴としている。
【００３４】
本発明に係る画像形成システムの調整方法は、上記構成において、上記補正値取得工程において、上記読取補正値を、上記シートのサイズを基準として求めることを特徴としている。
【００３５】
本発明に係る画像形成システムの調整方法は、上記構成において、上記画像形成工程において、上記シートとして、上記画像読取装置の読取り可能な最大サイズに満たないサイズのシートを使用することを特徴としている。
【００３６】
本発明に係る画像形成システムの調整方法は、上記構成において、上記シートの長手寸法が、上記画像読取装置の読取り可能な最大サイズのシートの短手寸法と同じである場合に、上記画像形成工程において、上記シートの長手方向が上記シートの搬送方向と平行となるように上記シートに画像を形成し、上記補正値取得工程において、上記画像読取装置の原稿台に設けられた原稿基準部材に対して上記シートの短手側の辺が平行となるように、または当接させるように、上記原稿台に載置された上記シートを読取ることを特徴としている。
【００３７】
本発明に係る画像形成システムの調整方法は、上記構成において、上記補正値取得工程において、上記画像読取装置の原稿台に設けられた原稿基準部材の基準マークに合わせるように上記原稿台に載置された上記シートから、上記シートに形成された上記枠画像の外枠を読取ることによって上記読取補正値を求め、上記読取補正工程において、上記読取補正値を用いて、上記画像読取装置の読取領域を補正することを特徴としている。
【００３８】
本発明に係る画像形成システムの調整方法は、上記構成において、上記補正値取得工程が、上記読取補正値として、上記枠画像の外枠の主走査方向における両端位置を読取ることによって、上記画像読取装置の読取領域における主走査方向のセンター位置の補正値を求める主走査読取補正値取得工程を含んでいることを特徴としている。
【００３９】
本発明に係る画像形成システムの調整方法は、上記構成において、上記補正値取得工程が、上記読取補正値として、上記枠画像の外枠の副走査方向の読取りにおける後端位置を読取ることによって、上記画像読取装置の副走査方向における読取開始位置の補正値を求める副走査読取補正値取得工程を含んでいることを特徴としている。
【００４０】
本発明に係る画像形成システムの調整方法は、上記構成において、上記補正値取得工程が、上記シートに形成された上記枠画像の外枠と内枠とを読取ることによって、上記形成補正値として、上記画像形成装置の画像書込み倍率と画像書込み開始タイミングとの補正値を求める形成補正値取得工程を含んでいることを特徴としている。
【００４１】
本発明に係る画像形成システムの調整方法は、上記構成において、上記補正値取得工程が、上記読取補正値として、読取位置ずれの補正値を取得する読取位置補正値取得工程を含んでいることを特徴としている。
【００４２】
本発明に係る画像形成システムの調整方法は、上記構成において、上記補正値取得工程において、上記シートを上記画像読取装置にて一度のみ読取ることによって、上記読取位置補正値取得工程および上記形成補正値取得工程を行うことを特徴としている。
【００４３】
本発明に係る画像形成システムの調整方法は、上記構成において、上記補正値取得工程が、上記読取位置補正値取得工程の前に、上記読取補正値として、読取倍率の補正値を取得する読取倍率補正値取得工程を含んでいることを特徴としている。
【００４４】
本発明に係る画像形成システムの調整方法は、上記構成において、上記補正値取得工程において、上記シートを上記画像読取装置にて一度のみ読取ることによって、上記読取位置補正値取得工程および上記読取倍率補正値取得工程を行うことを特徴としている。
【００４５】
本発明に係る画像形成システムは、シートに画像を形成するための画像形成部と、上記画像形成部によって上記シートに形成された画像を読取るための読取手段と、上記読取手段にて上記シートを読み取って得た、上記画像形成部による上記シートに対する画像の形成条件を補正する補正値を求めるための演算手段とを有し、上記画像形成部が上記演算手段の求めた上記補正値を用いて画像形成を行う画像形成システムであって、上記補正値を求めるために、上記画像形成部が、上記シートのサイズに応じて予め定めたデータに基づいて、上記シートの少なくとも３つの角部を含む領域に、上記シートをはみ出すようにして画像を形成することを特徴としている。
【００４６】
本発明に係る画像形成システムは、上記構成において、上記画像形成部は、複数の色材を用いて画像を形成可能であり、上記画像形成部は、上記補正値を求めるために、少なくとも何れか１つの色材を用いて画像を形成することを特徴としている。
【００４７】
本発明に係る画像形成システムは、上記構成において、上記読取手段は、３原色の光電変換素子を備えた、カラー画像を読取るカラー読取手段であり、上記読取手段が、上記画像形成部によって上記シートに形成された画像を読取る際に、上記３原色の光電変換素子のうち何れか１色の上記光電変換素子を用いて読取りを行うことを特徴としている。
【００４８】
本発明に係る画像形成システムは、上記構成において、上記画像形成部によって上記シートに形成された画像を読取る際に、上記読取手段は、上記３原色の光電変換素子のうち、上記画像形成部が上記シートに画像を形成したときに使用した色材に対して補色となる色の上記光電変換素子を用いて読取りを行うことを特徴としている。
【００４９】
本発明に係る画像形成システムは、上記構成において、ユーザからの入力指示を検出する操作手段を備えており、上記操作手段が、上記画像形成部の使用するシートの外形寸法、またはその補正寸法値の入力指示を検出することを特徴としている。
【００５０】
本発明に係る画像読取装置の調整方法は、画像読取装置におけるシートに対する画像の読取条件を補正するための読取補正値を取得する読取補正値取得工程と、上記読取補正値取得工程にて取得した上記読取補正値を用いて上記画像読取装置におけるシートに対する画像の読取条件を補正する読取補正工程とを含む画像読取装置の調整方法において、上記読取補正値取得工程において上記シートから上記読取補正値を求めるために、上記読取補正値取得工程よりも前に、上記シートのサイズに応じて予め定めたデータに基づいて、上記シートの少なくとも３つの角部を含む領域に、上記シートをはみ出すようにして、上記画像読取装置に接続された画像形成装置を用いて画像を形成する画像形成工程を含んでいることを特徴としている。
【００５１】
また、本発明に係る画像形成装置の調整方法は、上記構成に加えて、上記形成工程において、上記画像形成装置の各シート収容手段からそれぞれ給送したシートに、シート収容手段に対応させて予め定めた識別マークを付加して画像を形成し、これによりシートに形成された画像を読取手段で読取り、読み取った読取データからシートに対する画像の形成条件を補正する補正値をシート収容手段に対応させて求め、該補正値を用いて画像形成装置を調整することを特徴としている。
【００５２】
また、本発明に係る画像形成装置の調整方法は、上記構成に加えて、上記形成工程においてシート収容手段に対応した識別マークが付加された画像が形成された複数のシートを、その後にまとめて読取手段にて読取り、それぞれのシートに対する画像の形成条件を補正する補正値を求め、シート収容手段に対応させてシートに対する画像の形成条件を調整することを特徴としている。
【００５３】
また、本発明に係る画像形成装置の調整方法は、上記構成に加えて、上記複数のシートを、上記読取手段の読取部に原稿を給送する原稿搬送装置にて順次給送することによって、上記読取手段にて読取りすることを特徴としている。
【００５４】
また、本発明に係る画像形成装置の調整方法は、上記構成に加えて、上記識別マークが、上記形成工程における上記画像形成装置の画像形成部での搬送方向を表示することを特徴としている。
【００５５】
また、本発明に係る画像形成装置の調整方法は、上記構成に加えて、異なるシート収容手段から給送されて画像の形成された複数のシートを読取りして上記補正値を求めるときに、画像を形成する倍率の補正値についてはいずれか１つのシートを読取りして求め、画像を形成する位置の補正値についてはシートをそれぞれ読取りして求めることを特徴としている。
【００５６】
また、本発明に係る画像形成装置の調整方法は、上記構成に加えて、上記複数のシートを読取手段にて読取ったとき、同一のシート収容手段より給送されたシートを複数認識した場合には、同一のシート収容手段より給送されたシートから得られた補正値を平均化して、そのシート収容手段についての補正値とすることを特徴としている。
【００５７】
また、本発明に係る画像形成装置は、シート収容手段から給送されるシートに画像を形成する画像形成部と、上記画像形成部による上記シートに対する画像の形成条件を補正する補正値を求める演算手段とを有し、上記画像形成部が上記演算手段の求めた上記補正値を用いて画像形成を行う画像形成装置であって、上記補正値を求めるために、上記画像形成部が、上記シート収容手段から給送されるシートに対して、上記シートのサイズに応じて予め定めたデータに基づいて、上記シートの少なくとも３つの角部を含む領域に、上記シートをはみ出すようにして画像を形成するとともに、シート収容手段に対応させて予め定めた識別マークを上記画像とともに上記シートに形成し、上記シートに形成した画像を上記画像形成部に接続可能な読取手段によって画像データとして読み取って、上記読取手段から送信された上記画像データを用いて上記演算手段にて上記シート収容手段に対応させて上記補正値を求め、上記画像形成部が上記シート収容手段に対応させてシートに対する画像の形成条件を調整することを特徴としている。
【００５８】
また、本発明に係る画像形成装置は、上記構成に加えて、ユーザによる選択指示を検出する操作手段を備え、シートに調整用の画像を形成するときに、１つのシート収容手段から複数のシートを給送して、調整用の画像が形成されたシートを出力するモードと、複数のシート収容手段からそれぞれシートを給送して、調整用の画像が形成されたシートを出力するモードとが、上記操作手段にて選択可能であることを特徴としている。
【００５９】
また、本発明に係る画像形成システムは、上述のいずれかの画像形成装置と、上記画像形成装置の上記画像形成部によって画像が形成された複数のシートをまとめて読取り、読取って得た画像データを上記画像形成装置へと送信する読取手段とを含み、上記画像形成装置が、上記読取手段から送信された画像データを用いて、上記演算手段にて上記シート収容手段ごとに補正値を求めて、シートに対する画像の形成条件を調整することを特徴としている。
【発明の効果】
【００６０】
本発明の画像形成装置の調整方法は、上記の課題を解決するために、予め決められた画像データに基づいて、少なくともシートの３つの角部を含む領域に画像を形成する形成工程を含み、これによりシートに形成された画像を読取手段で読み取り、読み取った読取データからシートに対する画像の形成条件を補正する補正値を求め、該補正値を用いて画像形成装置を調整することを特徴としている。
【００６１】
これによれば、少なくともシートの３つの角部を含む領域に画像を形成することで、シートに形成された画像を読取手段で読み取ったときに、シートの角部を容易に読み取ることができる。そして読み取った読取データからシートに対する画像の形成条件を補正する補正値を求める。
【００６２】
例えば、画像形成装置の像担持体に、少なくともシートの３つの角部をはみ出すような静電潜像を形成し、現像材像とする。これによって、少なくともシートの３つの角部を含む領域に画像を形成できる。
【００６３】
また、例えば、印刷されたシートの３つの角部からシートのサイズを得て、これを予め記憶したシートサイズと比較する。これによって、読取手段の倍率誤差を把握して、倍率誤差の補正値を計算できる。また、例えば倍率誤差を補正した後のシートの角部のサイズと、予め記憶した角部のサイズとを比較して、位置ずれを正確に求めることができる。このようにして、補正値を求めることができる。
【００６４】
このように、読み取りに用いた読取手段が正確に調整されていなくても、読取手段でシートの角部に形成された画像を読み取れれば、シートに対する画像の形成条件を補正する補正値を求めることができる。それゆえ画像形成装置の調整を容易かつ正確に行うことができる。
【００６５】
なお、上述の画像形成装置の調整方法を、シートに対する画像の形成条件を補正するための補正値を求める補正値取得ステップと、上記補正値取得ステップにて取得した上記補正値を用いてシートに対する画像の形成条件を補正する形成補正ステップとを含む画像形成装置の調整方法において、上記補正値取得ステップにて上記補正値を求めるために、上記補正値取得ステップよりも前に、上記シートのサイズに応じて予め定めたデータに基づいて、上記シートの少なくとも３つの角部を含む領域に、上記シートをはみ出すようにして上記シートに画像を形成する画像形成ステップを含んでいる構成である、と表現することもできる。
【００６６】
また、本発明の画像形成装置の調整方法は、上記形成工程において、シートの縁辺全てを含む領域に画像を形成することを特徴としている。
【００６７】
これによれば、読取手段でシートに形成された画像の前後、左右の位置関係を読み取ることで、正確な補正値を求めることができる。
【００６８】
また本発明の画像形成装置の調整方法は、上記補正値は、上記シートのサイズを基準として求められることを特徴としている。
【００６９】
画像形成装置では、一般に、縦・横の寸法が決まった既製のサイズのシートが使用される。そこで画像形成装置を調整するために用いるシートのサイズを基準として補正値を求めれば、画像形成装置を調整するための専用の基準原稿等を用いる必要がなくなる。
【００７０】
また、本発明の画像形成装置の調整方法は、上記形成工程では、画像形成装置の副走査方向にシートの長手方向が設けられていることを特徴としている。
【００７１】
少なくともシートの３つの角部を含む領域に画像を形成するには、例えば、上記形成工程においてシートの角部から食み出す画像を形成すればよい。ところが、一般的に、画像形成装置ではシートの周辺に余白を残して画像形成を行うようになっているので、画像形成装置のタイプによっては、画像形成装置の書込み手段における書込み範囲の主走査方向の長さが、シートの長手方向の長さぎりぎりに設計されているものがある。このような画像形成装置の場合に、シートの長手方向が画像形成装置の主走査方向と平行となるように設置されると、書込み手段でシートの角部から食み出す画像を形成できないという問題がある。また、確実にシートの角部から食み出す画像を形成するためには、上記書込み範囲を広くする必要がある。そこで、形成工程において、画像形成装置の副走査方向にシートの長手方向が平行となるようにシートが設置されるようにすれば、上記書込み範囲を広くしなくても、シートの角部から食み出す画像を容易に形成することができる。
【００７２】
また、本発明の画像形成装置の調整方法は、上記読取手段の副走査方向にシートの長手方向を設けて読み取りを行うことを特徴としている。
【００７３】
読取手段における読取領域の主走査方向の長さを長くすると、読取手段のサイズが大きくなるので、その分、画像の読み取りに必要な読取センサを増やさなければならならず、コストアップとなる。また、読取手段で正確に読み取りを行うには、上記読取領域にシートを正確に載置しなければ、読み取りミスが発生してしまう。そこで、読取手段の副走査方向にシートの長手方向が平行となるようにシートを設置して読み取りを行えば、読取手段のサイズを最小限にすることで読取手段のコストを抑えることができる。またこれによれば読取領域内に余裕を持ってシートを載置することができるので、読み取りミスの発生を抑えることができる。
【００７４】
また、本発明の画像形成装置の調整方法は、上記読取手段の読取領域にシートを載置するときに、読取手段の原稿基準部材とシートの端部との間に隙間を設けることを特徴としている。
【００７５】
読取手段の読取領域にシートを載置するときに、読取手段に設けられシートの位置や大きさを示す原稿基準部材に対してシートの端部とが当接するようにシートを載置すると、シートの端部と原稿基準部材とを区別するのが困難となり、それによりシートの角部に形成された画像の読取精度が低下するおそれがある。そこで原稿基準部材とシートの端部との間に隙間を設けてシートを載置すれば、シートの角部に形成された画像を精度よく読み取ることができる。
【００７６】
また、本発明の画像形成装置の調整方法は、さらに、上記読取手段で上記シートのサイズを読み取る工程を含むことを特徴としている。
【００７７】
これによれば、画像形成装置の調整に用いるシートのサイズは予め分かっているので、このシートのサイズと、読取手段で読み取ったシートのサイズと、読み取り手段で読み取った画像データとから、画像形成装置の主走査方向および副走査方向それぞれの方向の倍率を補正する補正値（倍率補正値）を得ることができる。
【００７８】
また、本発明の画像形成装置の調整方法は、さらに、上記シートに形成された画像のうち、シートの搬送方向と直交する方向の前方に形成された画像の幅を求める工程を含むことを特徴としている。
【００７９】
これによれば、シートの搬送方向と直交する方向の前方に形成された画像の幅と、画像形成装置の主走査方向の倍率補正値とから、主走査方向の書込みタイミングを求めることができ、この書込みタイミングから、予め設定されている主走査方向の書込みタイミングに対する補正値を求めることができる。
【００８０】
また、本発明の画像形成装置の調整方法は、さらに、上記シートに形成された画像のうち、シートの搬送方向と平行な方向の前方に形成された画像の幅を求める工程を含むことを特徴としている。
【００８１】
これによれば、シートの搬送方向と平行な方向の前方に形成された画像の幅と、画像形成装置の副走査方向の倍率補正値とから、副走査方向の書込みタイミングを求めることができ、この書込みタイミングから、予め設定されている副走査方向の書込みタイミングに対する補正値を求めることができる。
【００８２】
また、本発明の画像形成装置の調整方法は、上記読取手段は３色の光電変換素子を備えたカラー読取手段であり、上記３色の光電変換素子のうちいずれか１色の光電変換素子を用いて上記シートに形成された画像を読み取ることを特徴としている。
【００８３】
カラー読取手段では、カラーＣＣＤを用い所定の間隔で形成されたＲ（赤）、Ｇ（緑）、Ｂ（青）の３色の光電変換素子を備えたイメージセンサで画像を３色に分解してカラー画像の読み取りを行っている。しかしながら、画像形成装置の調整を行うときには、シートに形成された画像の位置さえ読み取れればよいので、上記いずれか１色の光電変換素子を用いて読み取るほうが、読み取りを容易に行うことができ、また読み取りによって得られるデータの数が少なくなるので、読取データを演算する時間を短くすることができる。
【００８４】
また本発明の画像形成装置の調整方法は、上記読取手段がカラー読取手段である場合には、シートに画像を形成するときに使用する色材の補色となる色の光電変換素子を用いて読み取りを行うことを特徴としている。
【００８５】
これによれば、読取手段で鮮明な読み取りを行うことができるので、正確な読取データを得ることができる。
【００８６】
また本発明では、上記いずれかの方法によって画像形成装置の調整を行う画像形成装置を提供する。この画像形成装置は、画像データに応じて、像担持体に静電潜像を形成する書込み手段と、シートを搬送する搬送手段と、シートに形成された画像を読み取る読取手段と、上記読取手段でシートに形成された画像を読取ることで得られる読取データからシートに対する画像の形成条件を補正する補正値を求める演算手段と、予め決められた画像データに基づいて、少なくともシートの３つの角部を含む領域に画像を形成するよう上記書込み手段の動作を制御し、上記補正値に基づいて上記書込み手段および上記搬送手段の動作を制御する制御手段とを有することを特徴としている。
【００８７】
これによれば、画像形成装置が読取手段を有しているので、画像形成装置を調整するために、スキャナ等の専用の読取装置を準備する必要がなくなる。
【００８８】
また、上記いずれかの方法を用いて調整を行う画像形成装置として、画像データに応じて、像担持体に静電潜像を形成する書込み手段と、シートを搬送する搬送手段と、読取手段でシートに形成された画像を読み取ることで得られる読取データが入力されるデータ入力手段と、上記読取データから得られるシートに対する画像の形成条件を補正する補正値が入力される操作手段と、予め決められた画像データに基づいて、少なくともシートの３つの角部を含む領域に画像を形成するよう上記書込み手段の動作を制御し、上記補正値に基づいて上記書込み手段および上記搬送手段の動作を制御する制御手段とを有する構成としてもよい。
【００８９】
上記の構成によれば、読取手段で読み取った読取データに基づいて、例えばコンピュータでシートに対する画像の形成条件を補正する補正値を求め、この補正値を、操作手段を介して画像形成装置に入力することで、画像形成装置の調整を行うことができる。
【００９０】
また、上記画像形成装置を、さらにレジスト補正データを有しているとともに、複数の色材を用いて画像を形成するために複数の画像形成ステーションを備えており、上記色材のうち１つの色材を用いて上記形成工程を行う構成としてもよい。
【００９１】
これによれば、１つの色材を用いてシートに対する画像の形成条件を補正する補正値を求め、残りの色材に対応するレジスト補正データから補正値を求めることができる。これによれば、１つの色材を用いるだけでよいので、画像形成装置の調整を経済的に行うことができる。なお、上記構成においては、例えば書込み手段が、画像を形成するために複数の画像形成ステーションを備えていてもよい。
【００９２】
また、上記画像形成装置は、上記複数の画像形成ステーションではそれぞれ異なる調整を行う構成としてもよい。
【００９３】
これによれば、例えば１つの画像形成ステーションでは主走査方向および副走査方向の倍率および位置の調整を行い、残りの画像形成ステーションに関しては、主走査方向の倍率の調整を行い、副走査方向の倍率調整はレジスト補正データを用いて行うことができる。
【００９４】
本発明の画像形成システムの調整方法は、画像形成装置と画像読取装置とを含む画像形成システムを調整する画像形成システムの調整方法であって、シートに対する画像の形成条件を補正するための形成補正値およびシートに対する画像の読取条件を補正するための読取補正値を求めるために、上記シートのサイズに応じて予め定めたデータに基づいて、上記シートの少なくとも３つの角部を含む領域に、上記シートをはみ出すようにして、上記画像形成装置を用いて画像を形成する画像形成工程と、上記画像形成工程において画像が形成された上記シートを上記画像読取装置にて読取ることによって、上記形成補正値および上記読取補正値を求める補正値取得工程とを含んでおり、さらに、上記補正値取得工程にて取得した上記読取補正値を用いて、上記画像読取装置におけるシートに対する画像の読取条件を補正する読取補正工程、および上記補正値取得工程にて取得した上記形成補正値を用いて、上記画像形成装置におけるシートに対する画像の形成条件を補正する形成補正工程、を有している構成である。
【００９５】
上記方法によれば、画像読取装置を調整するためのシート（印刷物）を画像形成装置からいつでも出力することができる（画像形成工程）ので、画像読取装置を調整するための特別なシート（基準原稿）が不要となり、またその特別なシートを忘れることが無い。
【００９６】
上記方法の補正値取得工程においては、少なくとも３つの角部を含む領域に画像が形成されたシートを読取るので、このシートの規定のサイズおよび画像形成装置にて形成した画像のサイズを基準とし、読取データと比較することによって、画像形成装置における形成条件（形成誤差）、画像読取装置における読取条件（読取誤差）を求めることができる。
【００９７】
また、画像形成装置から出力されたシートを少なくとも１度画像読取装置にて読取ることによって補正値を取得する（補正値取得工程）ので、その後に、画像形成装置と画像読取装置との両者を調整できる（読取補正工程、形成補正工程）。例えば、補正値取得工程におけるシートの読取を一度のみとすることもできるので、この場合には１プリント１スキャンで画像形成装置と画像読取装置との両方を調整できる。このように、上記方法によれば、調整のための手順を容易にできる。また、調整時間を短縮できる。また、シートを画像形成装置にて読取って、自動的に調整するので、サービスマン等による調整のように、個人差によって調整結果に差を生ずることがない。
【００９８】
なお、上記構成において、読取補正工程および形成補正工程は、どちらを先に行ってもよく、また同時に行ってもよい。
【００９９】
また、上述の画像形成システムの調整方法を、予め決められた画像データに基づいて、少なくとも３つの角部を含む領域に画像形成装置で画像を形成する工程を含み、これによりシートに形成された画像を画像読取装置で読取り、読取ったデータから画像読取装置の読取条件を補正する補正値と、画像形成装置のシートに対する画像の形成条件を補正する補正値とを求め、それぞれの補正値を用いて画像読取装置と画像形成装置とをほぼ同時に調整する構成の複合機の調整方法である、と表現することもできる。
【０１００】
本発明の画像形成システムの調整方法は、上記構成に加えて、上記画像形成工程において、上記シートの少なくとも３つの角部を含む領域として、上記シートの縁辺全てを含む領域に、枠状の枠画像を形成する構成である。
【０１０１】
この構成によれば、シートに形成される画像が、シートから食み出すエッジいっぱいの部分と、シートの中に確実に形成される部分とを有することになる。このため、エッジと内部に形成される部分とをそれぞれ用いて、形成されている画像の倍率や左右，前後の位置関係を読取り、正確に補正値を求めることができる。特に、シートのエッジは画像形成装置による画像ずれの影響を受けないので、枠画像の外枠の情報を画像読取装置の補正に用いることができる。
【０１０２】
本発明の画像形成システムの調整方法は、上記構成に加えて、上記補正値取得工程において、上記読取補正値を、上記シートのサイズを基準として求める構成である。
【０１０３】
この構成によれば、シートのサイズを基準とするので予め基準とするサイズが定まっていることと、特殊な基準原稿等を用いることなく、通常、記録シートとして用いているシートや市販の既製サイズのシートを用いることができる。
【０１０４】
本発明の画像形成システムの調整方法は、上記構成に加えて、上記画像形成工程において、上記シートとして、上記画像読取装置の読取り可能な最大サイズに満たないサイズのシートを使用する構成である。
【０１０５】
この構成によれば、読取り可能な最大サイズに満たない小さいサイズのシートを用いるので、確実にシートの全面を読取ることができる。一方、画像読取装置が調整前の場合に、読取り可能な最大シートを用いた場合には、画像読取装置の読取り範囲がずれていた場合にシート全面を読取ることができない場合がある。
【０１０６】
本発明の画像形成システムの調整方法は、上記構成に加えて、上記シートの長手寸法が、上記画像読取装置の読取り可能な最大サイズのシートの短手寸法と同じである場合に、上記画像形成工程において、上記シートの長手方向が上記シートの搬送方向と平行となるように上記シートに画像を形成し、上記補正値取得工程において、上記画像読取装置の原稿台に設けられた原稿基準部材に対して上記シートの短手側の辺が平行となるように、または当接させるように、上記原稿台に載置された上記シートを読取る構成である。
【０１０７】
この構成によれば、副走査方向にサイズが長くなるようにシート搬送させて画像形成を行い、同じように原稿台に載置することで、それぞれの装置を必要以上に大きな装置サイズしなくとも済み、コストアップを防止できる。また、画像形成領域，読取領域に余裕ができ、調整エラーの発生を未然に防ぐことができる。
【０１０８】
なお、画像読取装置、画像形成装置の両方に共通して言えることであるが、調整に用いるシートの最大寸法を予め定めない場合には、画像読取装置では読取範囲を、画像形成装置では画像形成範囲を、必要以上に広く構成しておかなければならず、装置のサイズが大きくなるため、読取センサや書込みユニットのためにコストアップを生じてしまう。
【０１０９】
また、上述の画像形成システムの調整方法を、シートの長手寸法が画像読取装置で読み取れる最大サイズのシートの短手寸法と同じ寸法のシートを用いる場合には、シートをシートの長手方向に搬送させて画像を形成し短手部分を画像読取装置の原稿載置ガイドに平行にあるいは当接させて原稿台にセットして調整を行う構成である、と表現することもできる。
【０１１０】
本発明の画像形成システムの調整方法は、上記構成に加えて、上記補正値取得工程において、上記画像読取装置の原稿台に設けられた原稿基準部材の基準マークに合わせるように上記原稿台に載置された上記シートから、上記シートに形成された上記枠画像の外枠を読取ることによって上記読取補正値を求め、上記読取補正工程において、上記読取補正値を用いて、上記画像読取装置の読取領域を補正する構成である。
【０１１１】
この構成によれば、外枠画像は予めサイズが決まっている画像であり、その画像を読取ることで、画像読取装置の読取領域のセンター調整や読取開始位置を調整することができる。
【０１１２】
なお、上述の画像形成システムの調整方法を、前記読取装置の調整は、画像形成装置から出力されたシートを原稿載置ガイドの基準マークに合わせて原稿台に載置し、前記シートの枠画像のうち外枠を読取ることで画像読取装置の読取り領域を補正する補正値を求め画像読取装置を調整する構成である、と表現することもできる。
【０１１３】
本発明の画像形成システムの調整方法は、上記構成において、上記補正値取得工程が、上記読取補正値として、上記枠画像の外枠の主走査方向における両端位置を読取ることによって、上記画像読取装置の読取領域における主走査方向のセンター位置の補正値を求める主走査読取補正値取得工程を含んでいる構成である。また、本発明の画像形成システムの調整方法は、上記構成において、上記補正値取得工程が、上記読取補正値として、上記枠画像の外枠の副走査方向の読取りにおける後端位置を読取ることによって、上記画像読取装置の副走査方向における読取開始位置の補正値を求める副走査読取補正値取得工程を含んでいる構成である。
【０１１４】
この構成によれば、画像形成出力されたシートを原稿載置ガイドの基準マークに合わせて載置して読取るだけで、画像読取装置の読取領域のセンターを調整することができる。また、画像形成出力されたシートを原稿載置ガイドの基準マークに合わせて載置して、シートの後端を読取ることで、読取開始位置を容易に調整することができる。
【０１１５】
なお、上述の画像形成システムの調整方法を、上記外枠画像の主走査方向の両端にて画像読取装置の読取領域のセンターを、外枠画像の読取後端部エッジで画像読取装置の読取り開始位置を調整する構成である、と表現することもできる。
【０１１６】
本発明の画像形成システムの調整方法は、上記構成において、上記補正値取得工程が、上記シートに形成された上記枠画像の外枠と内枠とを読取ることによって、上記形成補正値として、上記画像形成装置の画像書込み倍率と画像書込み開始タイミングとの補正値を求める形成補正値取得工程を含んでいる構成である。
【０１１７】
この構成によれば、予め分かっている長さである副走査方向の枠画像の外側間隔と、予め定められたデータを基に形成された副走査方向の枠画像の内側間隔より、画像形成装置の副走査方向の画像形成倍率を求めることができる。そこで、その倍率に基づいて先端に形成された画像を判定すれば、容易に先端画像の書込み開始タイミングの補正値を求めることができる。
【０１１８】
なお、上述の画像形成システムの調整方法を、上記画像形成装置の調整は、画像形成装置から出力されたシートを原稿載置ガイドの基準マークに合わせて原稿台に載置し、前記シートの枠画像のうち外枠と内枠とを読取ることで画像形成装置の画像書込み倍率と画像書込み開始タイミングとを補正する補正値を求め画像形成装置を調整する構成である、と表現することもできる。
【０１１９】
本発明に係る画像形成システムの調整方法は、上記構成に加えて、上記補正値取得工程が、上記読取補正値として、読取位置ずれの補正値を取得する読取位置補正値取得工程を含んでいる構成である。
【０１２０】
読取補正値として、読取位置ずれの補正値を取得するので、この補正値を用いて読取位置ずれを補正できる。なお、補正値取得工程は、シートを一度のみ読取ることによって行うものであってもよいし、またはシートを複数回読取ることによって行うものであってもよい。
【０１２１】
本発明に係る画像形成システムの調整方法は、上記構成に加えて、上記補正値取得工程において、上記シートを上記画像読取装置にて一度のみ読取ることによって、上記読取位置補正値取得工程および上記形成補正値取得工程を行う構成である。
【０１２２】
この構成であれば、シートを画像読取装置にて一度のみ読取ることによって、読取位置ずれの補正値と形成補正値とを取得できる。したがって、シートの一度の読取りで、画像形成装置の形成条件の補正と、画像読取装置の位置ずれの補正とを行うことができる。
【０１２３】
本発明に係る画像形成システムの調整方法は、上記構成に加えて、上記補正値取得工程が、上記読取位置補正値取得工程の前に、上記読取補正値として、読取倍率の補正値を取得する読取倍率補正値取得工程を含んでいる構成である。
【０１２４】
画像読取装置に倍率誤差が生じている可能性がある場合には、このように読取倍率補正値取得工程にて読取倍率の補正値を取得した後に、読取位置補正値取得工程にて読取位置の補正値を取得すれば、正確な補正値を求めることができる。
【０１２５】
本発明に係る画像形成システムの調整方法は、上記構成に加えて、上記補正値取得工程において、上記シートを上記画像読取装置にて一度のみ読取ることによって、上記読取位置補正値取得工程および上記読取倍率補正値取得工程を行う構成である。
【０１２６】
画像形成装置にて枠画像が形成されたシートを画像読取装置にて一度のみ読取ることによって、画像形成装置と画像読取装置との調整を全て完了できる。
【０１２７】
本発明の画像形成システムは、シートに画像を形成するための画像形成部と、上記画像形成部によって上記シートに形成された画像を読取るための読取手段と、上記読取手段にて上記シートを読み取って得た、上記画像形成部による上記シートに対する画像の形成条件を補正する補正値を求めるための演算手段とを有し、上記画像形成部が上記演算手段の求めた上記補正値を用いて画像形成を行う画像形成システムであって、上記補正値を求めるために、上記画像形成部が、上記シートのサイズに応じて予め定めたデータに基づいて、上記シートの少なくとも３つの角部を含む領域に、上記シートをはみ出すようにして画像を形成する構成である。
【０１２８】
この構成であれば、画像形成装置と画像読取装置とを備えた複合機のような画像形成システムにおいて、上述の画像形成システムの調整方法と同様の効果を得ることができる。
【０１２９】
本発明の画像形成システムは、上記構成に加えて、上記画像形成部は、複数の色材を用いて画像を形成可能であり、上記画像形成部は、上記補正値を求めるために、少なくとも何れか１つの色材を用いて画像を形成する構成である。
【０１３０】
ここで、一般的に、多色の画像形成装置では、何れか１つの色材の画像形成を基準として残りの色材の画像形成位置を補正する色レジスト補正データを有している。そこで、上述のように少なくとも何れか１つの色材の画像形成によって、シートに対する画像の形成位置を補正する補正値を求めるだけで、残りの色材に対応する補正値は色レジスト補正データを考慮して容易に求めることができる。したがって、何れか１つの色材だけの画像形成で済むので、経済的な調整を行うことができる。なお、このように多色の画像形成装置を備えている場合には、全ての色材について画像を形成し、それぞれの色材に対応する補正値を求めてもよい。
【０１３１】
本発明の画像形成システムは、上記構成に加えて、上記読取手段は、３原色の光電変換素子を備えた、カラー画像を読取るカラー読取手段であり、上記読取手段が、上記画像形成部によって上記シートに形成された画像を読取る際に、上記３原色の光電変換素子のうち何れか１色の上記光電変換素子を用いて読取りを行う構成である。
【０１３２】
通常、カラーの画像読取装置では、カラーＣＣＤを用い、所定の間隔で形成されたＲＧＢのイメージセンサで画像を色分解して読取っている。しかしながら、調整のために出力された画像の位置を読取るだけなので、色分解して読取をする必要はない。
【０１３３】
そこで、上記構成のように、何れか１つの色のイメージセンサで読取れば、制御が容易で、得られるデータ数も少なく、演算する時間も短くて済む。例えば、黒色の色材で画像を形成した場合には、Ｇのイメージセンサで画像を読取る。
【０１３４】
本発明の画像形成システムは、上記構成に加えて、上記画像形成部によって上記シートに形成された画像を読取る際に、上記読取手段は、上記３原色の光電変換素子のうち、上記画像形成部が上記シートに画像を形成したときに使用した色材に対して補色となる色の上記光電変換素子を用いて読取りを行う構成である。
【０１３５】
この構成によれば、画像形成を行ったときに用いた色材と補色の関係となる色を用いて読取りを行うことにより、鮮明な読取を行うことができ、正確なデータを得ることができる。例えば、画像形成を行ったときに用いた色材がＹであれば読取をＢで行う。同様に、画像形成を行ったときに用いた色材がＭであれば読取をＧで行い、画像形成を行ったときに用いた色材がＣであれば読取をＲで行う。
【０１３６】
なお、上記構成の画像形成システムを、シートに画像を形成したときに使用した色材と補色となる色の光電変換素子を用いて読取りを行う構成であると表現することもできる。
【０１３７】
本発明の画像形成システムは、上記構成に加えて、ユーザからの入力指示を検出する操作手段を備えており、上記操作手段が、上記画像形成部の使用するシートの外形寸法、またはその補正寸法値の入力指示を検出する構成である。
【０１３８】
この構成によれば、使用するシートの外形寸法などを入力できるので、市販されている規定のサイズのシートだけでなく、任意のサイズのシートを調整に用いることができる。
【０１３９】
また、画像形成に用いる規制サイズのシートが、若干の寸法誤差を有している場合がある。また、厳密に言えば画像形成時の定着部での熱と圧力によって、定着工程においてシートの寸法が若干変化することもある。このため、使用するシートの外形寸法を予め計測し、また好ましくは画像形成を完了後にシートの外形サイズを計測し、上述のように操作手段から計測した寸法あるいは基準寸法からの差である補正寸法値の入力を可能とする。この構成であれば、精度の高い調整を行うことができる。
【０１４０】
また、上記構成において、ユーザによる入力を促すために、画像形成システムの表示部が、上記画像形成部の使用するシートの外形寸法、またはその補正寸法値の入力指示を促す画面を表示する構成であってもよい。
【０１４１】
なお、上述の画像形成システムを、操作部を備えており、該操作部にて使用するシートの外形寸法をまたはその補正寸法値を入力可能とし、調整時のシートの基準値を補正して調整できる構成の複合機である、と表現することもできる。
【０１４２】
本発明の画像読取装置の調整方法は、画像読取装置におけるシートに対する画像の読取条件を補正するための読取補正値を取得する読取補正値取得工程と、上記読取補正値取得工程にて取得した上記読取補正値を用いて上記画像読取装置におけるシートに対する画像の読取条件を補正する読取補正工程とを含む画像読取装置の調整方法において、上記読取補正値取得工程において上記シートから上記読取補正値を求めるために、上記読取補正値取得工程よりも前に、上記シートのサイズに応じて予め定めたデータに基づいて、上記シートの少なくとも３つの角部を含む領域に、上記シートをはみ出すようにして、上記画像読取装置に接続された画像形成装置を用いて画像を形成する画像形成工程を含んでいる構成である。
【０１４３】
この構成であれば、画像読取装置に接続された画像形成装置を用いて印刷したシートを読取ることによって、画像読取装置の読取条件の補正値を取得し、この補正値を用いて読取条件を補正できる。
【０１４４】
また、本発明に係る画像形成装置の調整方法は、上記構成に加えて、上記形成工程において、上記画像形成装置の各シート収容手段からそれぞれ給送したシートに、シート収容手段に対応させて予め定めた識別マークを付加して画像を形成し、これによりシートに形成された画像を読取手段で読取り、読み取った読取データからシートに対する画像の形成条件を補正する補正値をシート収容手段に対応させて求め、該補正値を用いて画像形成装置を調整する構成である。
【０１４５】
画像形成装置はシートを収容するためのシート収容手段を備えており、このシート収容手段からシートを給送して、画像形成装置の画像形成部にて画像形成（印刷）を行う。画像形成装置がシート収容手段を複数備えているときには、各シート収容手段から画像形成部までのシートの搬送経路は、シート収容手段ごとに全て異なるものとなる。このため、シートに対する画像の形成条件を正確に調整するためには、厳密にはシート収容手段ごとに調整することになる。
【０１４６】
そこで、調整のためのモードが選択され、実行された場合には、上述のように、シート収容手段ごとにシートを順次給送し、給送されたシートに調整用の画像を形成する。このようにして、各シート収容手段から搬送されたシートにそれぞれ調整用の画像を形成して、１度に調整用のシートを得ることができる。よって、効率的な画像形成を行うことができ、得られた画像形成物を読取ることによって効率的な調整作業を行うことができる。
【０１４７】
また、各シート収容手段から給送されたシートごとに、シート収容手段に対応させて予め定めた認識マークを付加するので、画像の形成されたシートがどのシート収容手段から搬送されたものかを誤ることがない。すなわち、調整用の画像形成物（シート）が１度に複数得られても、間違うことがない。
【０１４８】
なお、上述の画像形成装置の調整方法を、基準画像データに基づいて画像形成手段で画像形成された画像形成物を読取手段で読取り、得られた補正値に基づいてシートに対する画像の形成条件を調整する機能を有する画像形成装置の調整方法において、前記画像形成装置にて前記機能が実行された場合に、シート収容手段に対応させて予め決められた識別マークを付加し、シート収容手段から給送されるシートに順次画像を形成し調整用の画像形成物を作成した後、該画像形成物を画像読取手段で読取り、シート収容手段に対応させてシートに対する画像の形成条件を調整する構成である、と表現することもできる。
【０１４９】
また、本発明に係る画像形成装置の調整方法は、上記構成に加えて、上記形成工程においてシート収容手段に対応した識別マークが付加された画像が形成された複数のシートを、その後にまとめて読取手段にて読取り、それぞれのシートに対する画像の形成条件を補正する補正値を求め、シート収容手段に対応させてシートに対する画像の形成条件を調整する構成である。
【０１５０】
これによれば、例えば枠画像のような調整用画像が、シート収容手段に対応させて予め定めた識別マークとともにシートに印刷される。このシートを、自動原稿搬送装置を用いた一度の動作で、または例えばガイダンスを表示するなどしてユーザにシートを交換させることによる一連の動作で、まとめて読取手段にて読取る。これによって、間違うことなく、１度に、シートに対する画像形成条件の補正値をシート収容手段ごとに求めることができる。したがって、効率的な調整作業を行って、作業時間を短縮できる。
【０１５１】
また、シートには、それぞれ何れのシート収容手段から給送されたのかを認識できる識別マーク（認識マーク）が施されている。このため、例えば読取手段によってシートを読取る順番が異なってしまう場合でも、また例えば画像形成から相当時間が経過した後に読取りを行う場合にも、読取りを間違ったり、どのシート収容手段から給送されたかを誤ったりすることがなく、安心して調整作業を行うことができる。
【０１５２】
なお、上述の画像形成装置の調整方法を、画像形成手段によってシート収容手段ごとに識別マークが付加され形成された複数の調整用の画像形成物をまとめて画像読取手段にて読取り、それぞれの画像形成物のシートに対する画像の形成条件を補正する補正値を求め、画像形成手段のシート収容手段に対応させてシートに対する画像の形成条件を調整する構成である、と表現することもできる。
【０１５３】
また、本発明に係る画像形成装置の調整方法は、上記構成に加えて、上記複数のシートを、上記読取手段の読取部に原稿を給送する原稿搬送装置にて順次給送することによって、上記読取手段にて読取りする構成である。
【０１５４】
ここで、調整用の画像が印刷されたシートが複数ある場合には、１枚ずつ読取りを行って補正値を得るのは非常に手間である。
【０１５５】
そこで、例えば原稿が載置されたことを検出すると自動的に原稿を順次給送し、または例えばユーザの指示を検出して原稿を順次給送する、原稿搬送装置を用いれば、シートが複数枚ある場合であっても、簡単に読取りを行える。このため、読取り時間の短縮、調整時間の短縮を図ることができる。また、読取るための原稿（シート）の位置の調整は原稿搬送装置が行うので、例えば原稿台にシートを載置する場合のように載置位置の調整にユーザが気を配る必要がない。
【０１５６】
なお、上述の画像形成装置の調整方法を、上記画像読取手段には、原稿を自動的に読取部に給送する原稿搬送手段を備えており、複数の調整用の画像形成物を、前記原稿搬送手段にて読取部に順次給送し、それぞれの画像形成物に対する補正値を求める構成である、と表現することもできる。
【０１５７】
また、本発明に係る画像形成装置の調整方法は、上記構成に加えて、上記識別マークが、上記形成工程における上記画像形成装置の画像形成部での搬送方向を表示する構成である。
【０１５８】
これによれば、識別マークによって、シート収容手段についての情報を識別（認識）できるだけでなく、画像形成部でのシートの搬送方向も識別できる。したがって、読取手段において、例えば原稿台上に９０度回転や１８０度回転した状態にセットされるなど、不適切な方向にシートが載置されて読取りが行われた場合であっても、識別マークを判別することによって正しい向きを識別して、正しい補正値を求めることができる。したがって、読取手段に読取らせるためにシートを載置する際に、シートの向きに気を配る必要がない。
【０１５９】
なお、上述の画像形成装置の調整方法を、上記識別マークはさらに画像形成部での搬送方向を識別可能に付加されている構成である、と表現することもできる。
【０１６０】
また、本発明に係る画像形成装置の調整方法は、上記構成に加えて、異なるシート収容手段から給送されて画像の形成された複数のシートを読取りして上記補正値を求めるときに、画像を形成する倍率の補正値についてはいずれか１つのシートを読取りして求め、画像を形成する位置の補正値についてはシートをそれぞれ読取りして求める構成である。
【０１６１】
ここで、シートに対する画像形成条件のうち、画像の倍率は、シートを供給するシート収容手段に関係しない。このため、何れのシート収容手段から給送されたシートに対して画像を形成し読取りしても同じ結果が得られる。そこで、上述のように、何れか１枚のシートを読取りして補正値を求める。一方、画像を形成する位置の補正値については、シートを供給するシート収容手段ごとに異なる値となるので、上述のようにシートをそれぞれ読取りして補正値を求める。これによって、正確な補正値を得ることを保証した上で、読取のための時間を短縮できる。
【０１６２】
また、上記構成において、さらに、複数のシートを読取った結果を全て用いて補正値を求める場合には、シートごとの補正値に対して適当な平均化処理を行って、シート収容手段ごとの補正値を得るようにしてもよい。
【０１６３】
なお、上述の画像形成装置の調整方法を、異なるシート収容手段から給送されたシートにより形成された画像形成物を用いて調整を行う場合には、シートに対する画像形成条件を補正する補正値のうち、画像の倍率の補正値については何れか１つの画像形成物にて求め、画像の形成位置の補正値については全ての画像形成物について求める構成である、と表現することもできる。
【０１６４】
また、本発明に係る画像形成装置の調整方法は、上記構成に加えて、上記複数のシートを読取手段にて読取ったとき、同一のシート収容手段より給送されたシートを複数認識した場合には、同一のシート収容手段より給送されたシートから得られた補正値を平均化して、そのシート収容手段についての補正値とする構成である。
【０１６５】
上記構成のように、同一のシート収容手段から複数枚のシートを給送して、それぞれのシートに調整用の画像を形成してもよい。この場合には、同一のシート収容手段から給送された各シートを読取って得られた補正値を、例えば平均化することによって、そのシート収容手段についての補正値とする。これによって、調整精度を上げて、精度の高い調整が行える。なお、本発明はこれに限るものではなく、それぞれのシート収容手段から１枚ずつ給送されたシートに対して調整用の画像を形成し、このシートを読取って調整を行う構成であってもよいことはいうまでもない。
【０１６６】
なお、上述の画像形成装置の調整方法を、複数の画像形成物を読取った場合に、同一のシート収容手段より給送された画像形成物が複数認識された場合は、同一のシート手段により形成された画像形成物より得られた補正値を平均化して求める構成である、と表現することもできる。
【０１６７】
また、本発明に係る画像形成装置は、シート収容手段から給送されるシートに画像を形成する画像形成部と、上記画像形成部による上記シートに対する画像の形成条件を補正する補正値を求める演算手段とを有し、上記画像形成部が上記演算手段の求めた上記補正値を用いて画像形成を行う画像形成装置であって、上記補正値を求めるために、上記画像形成部が、上記シート収容手段から給送されるシートに対して、上記シートのサイズに応じて予め定めたデータに基づいて、上記シートの少なくとも３つの角部を含む領域に、上記シートをはみ出すようにして画像を形成するとともに、シート収容手段に対応させて予め定めた識別マークを上記画像とともに上記シートに形成し、上記シートに形成した画像を上記画像形成部に接続可能な読取手段によって画像データとして読み取って、上記読取手段から送信された上記画像データを用いて上記演算手段にて上記シート収容手段に対応させて上記補正値を求め、上記画像形成部が上記シート収容手段に対応させてシートに対する画像の形成条件を調整することを特徴としている。
【０１６８】
この構成の画像形成装置であれば、上述の画像形成装置の調整方法を実行して、上述と同様の効果を得ることができる。
【０１６９】
なお、上述の画像形成装置を、基準画像データに基づいて画像形成手段で画像形成された画像形成物を読取手段で読取り、得られた補正値に基づいてシートに対する画像の形成条件を調整する機能を有する画像形成装置において、前記画像形成装置にて前記機能が実行された場合に、シート収容手段に対応させて予め決められた識別マークを付加し、前記シート収容手段から給送されるシートに順次画像を形成し調整用の画像形成物を作成し、シート収容手段に対応させてシートに対する画像の形成条件を調整する構成である、と表現することもできる。
【０１７０】
また、本発明に係る画像形成装置は、上記構成に加えて、ユーザによる選択指示を検出する操作手段を備え、シートに調整用の画像を形成するときに、１つのシート収容手段から複数のシートを給送して、調整用の画像が形成されたシートを出力するモードと、複数のシート収容手段からそれぞれシートを給送して、調整用の画像が形成されたシートを出力するモードとが、上記操作手段にて選択可能であることを特徴としている。
【０１７１】
例えば、１つのシート収容手段から複数のシートを給送して、調整用の画像が形成されたシートを出力するモードを選択すれば、例えばその後に各シートを読取りしてそれぞれ補正値を求め、その値を平均化して、調整精度を高めた調整を行うことができる。
【０１７２】
また、例えば、複数のシート収容手段からそれぞれシートを給送して、調整用の画像が形成されたシートを出力するモードを選択すれば、複数のシート収容手段についての補正値を、１度に求めて調整することができる。
【０１７３】
したがって、この画像形成装置によれば、複数のシート収容手段に対する調整を容易に行うことができ、または精度を高めた調整を行うことができる。
【０１７４】
また、上記構成の画像形成装置は、上述の二つのモードを択一的に選択可能であってもよいし、または二つのモードを同時に選択可能であってもよい。
【０１７５】
なお、上述の画像形成装置を、調整用の画像形成を行う場合に１つのシート収容手段から複数のシートを給送して調整用の画像形成物を出力するモードと、複数のシート収容手段からシートを給送して調整用の画像形成物を出力するモードとを有している構成である、と表現することもできる。
【０１７６】
また、本発明に係る画像形成システムは、上述のいずれかの画像形成装置と、上記画像形成装置の上記画像形成部によって画像が形成された複数のシートをまとめて読取り、読取って得た画像データを上記画像形成装置へと送信する読取手段とを含み、上記画像形成装置が、上記読取手段から送信された画像データを用いて、上記演算手段にて上記シート収容手段ごとに補正値を求めて、シートに対する画像の形成条件を調整する構成である。
【０１７７】
この構成の画像形成システムであれば、読取手段を用いて読取りをして、画像形成装置の調整を確実に実行できる。
【０１７８】
なお、上述の画像形成システムの読取手段を、画像形成手段によってシート収容手段ごとに識別マークが付加され形成された複数の調整用の画像形成物より、それぞれの画像形成物におけるシートに対する画像の形成条件を補正する補正値を求め、画像形成手段のシート収容手段に対応するシートに対する画像の形成条件を調整するために前記画像形成物を読取る読取装置で、前記複数の画像形成物をまとめて読取り、画像形成手段のシート収容手段に対応させてシートに対する画像の形成条件を調整する構成の読取装置である、と表現することもできる。
【発明を実施するための最良の形態】
【０１７９】
〔実施の形態１〕
本発明の一実施の形態について図１〜図９に基づいて説明すれば、以下の通りである。
【０１８０】
本実施形態の画像形成システムは、一つの筐体内に画像読取装置と画像形成装置とを備えた複合機である。複合機１は、図１の内部構成図に示すように、概略的に、自動原稿搬送装置２１０、読取手段（画像読取装置）２００、画像形成部（画像形成装置）１００、および給紙デスク装置２０を備えている。
【０１８１】
本実施形態においては、複合機１の上部に読取手段２００が配置され、読取手段２００の上面に透明ガラスからなる原稿台２０９が設けられている。原稿台２０９の上に、自動原稿搬送装置２１０が備えられている。また、読取手段２００の下部に画像形成部１００が配置され、さらに画像形成部１００の下に給紙デスク装置２０が備えられている。
【０１８２】
自動原稿搬送装置２１０は、原稿セットトレイ２１１上にセットされた複数枚のシート（原稿）を１枚ずつ自動的に原稿台２０９上へ搬送する装置である。
【０１８３】
読取手段２００は、原稿台２０９上に載置されたシートの画像を走査して読み取る装置である。本実施形態の読取手段２００は、カラー読取手段である。読取手段２００は、原稿台２０９の下方に、第１の走査ユニット２０１・第２の走査ユニット２０２、光学レンズ２０３、および光電変換素子であるＣＣＤラインセンサ２０４を有している。
【０１８４】
第１の走査ユニット２０１は、シート面上を露光する露光ランプ２０５と、シートからの反射光像を所定の方向に反射させる第１ミラー２０６等から構成されている。第２の走査ユニット２０２は、第１の走査ユニット２０１の第１ミラー２０６から反射されてくるシートからの反射光を光電変換素子であるＣＣＤラインセンサ２０４に導く第２ミラー２０７および第３ミラー２０８より構成されている。光学レンズ２０３は、原稿からの反射光をＣＣＤラインセンサ２０４上に結像させる。ＣＣＤラインセンサ２０４は、Ｒ（赤）、Ｇ（緑）、Ｂ（青）の３ラインのイメージセンサを用いており、３色に分解して画像を読み取れるようになっている。
【０１８５】
次に、画像形成部１００の構成、および画像形成部１００に関連する各部の構成について説明する。
【０１８６】
画像形成部１００は、画像形成部１００の外部から伝達された画像データに応じて、所定のシート（記録用紙）に対して多色および単色の画像を形成するものである。
【０１８７】
画像形成部１００は、カラー画像を扱うための４つの画像形成ステーションを有している。この画像形成部１００において扱われる画像データは、ブラック（Ｋ）、シアン（Ｃ）、マゼンタ（Ｍ）、イエロー（Ｙ）の各色を用いたカラー画像に応じたものである。
【０１８８】
このため、画像形成部１００は、図１に示すように、露光ユニット１０（１０ａ、１０ｂ、１０ｃ、１０ｄ）、現像器２（２ａ、２ｂ、２ｃ、２ｄ）、感光体ドラム（像担持体）３（３ａ、３ｂ、３ｃ、３ｄ）、クリーナユニット４（４ａ、４ｂ、４ｃ、４ｄ）、帯電器５（５ａ、５ｂ、５ｃ、５ｄ）を、各色に応じた４種類の潜像を形成するように、それぞれの画像形成ステーションごとに備えている。各画像形成ステーションは、それぞれ、ａがブラック（Ｋ）に対応し、ｂがシアン（Ｃ）に対応し、ｃがマゼンタ（Ｍ）に対応し、ｄがイエロー（Ｙ）に対応するように設定されている。各画像形成ステーションを区別する必要がない場合には、以下では簡単のため、露光ユニット１０、現像器２、感光体ドラム３、クリーナユニット４、帯電器５のように呼ぶ。
【０１８９】
また、画像形成部１００は、図１に示すように、さらに転写搬送ベルトユニット８、定着ユニット１２、用紙搬送路Ｓ、給紙トレイ１９、排紙トレイ１５・３３、画像処理基板３００、制御回路基板４００等を備えている。
【０１９０】
以下で画像形成部１００の各部について説明する。
【０１９１】
感光体ドラム３は、画像形成部１００のほぼ中心部に配置（装着）されている。
【０１９２】
帯電器５は、感光体ドラム３の表面を所定の電位に均一に帯電させるための帯電手段であり、図１に示すチャージャー型の帯電器のほかに、接触型の帯電ローラ型やブラシ型の帯電器が用いられる。
【０１９３】
露光ユニット１０は、発光素子をアレイ状に並べた例えばＥＬやＬＥＤ書込みヘッドや、レーザ照射部および反射ミラーを備えたレーザスキャニングユニット（ＬＳＵ）である。この露光ユニット１０は、帯電された感光体ドラム３を入力される画像に応じて露光することにより、その表面に、画像データに応じて静電潜像を形成する機能を有するものである。
【０１９４】
現像器２は、それぞれの感光体ドラム３上に形成された静電潜像を、（Ｋ、Ｃ、Ｍ、Ｙ）のトナーにより顕像化するものである。クリーナユニット４は、現像・画像転写後における感光体ドラム３上の表面に残留したトナーを除去・回収するものである。
【０１９５】
感光体ドラム３の下方に配置されている転写搬送ベルトユニット８は、転写ベルト７、転写ベルト駆動ローラ７１、転写ベルトテンションローラ７２、転写ベルト従動ローラ７３、転写ベルト支持ローラ７４、転写ローラ６（６ａ、６ｂ、６ｃ、６ｄ）、および転写ベルトクリーニングユニット９を備えている。
【０１９６】
転写ベルト駆動ローラ７１、転写ベルトテンションローラ７２、転写ローラ６、転写ベルト従動ローラ７３、転写ベルト支持ローラ７４等は、転写ベルト７を張架し、転写ベルト７を矢印Ｂ方向に回転駆動させるものである。
【０１９７】
転写ローラ６は、転写ベルトユニットの内側のフレーム（図示せず）に回転可能に支持されており、感光体ドラム３のトナー像を、転写ベルト７上に吸着されて搬送されるシートに転写するものである。
【０１９８】
転写ベルト７は、それぞれの感光体ドラム３に接触するように設けられている。そして、感光体ドラム３に形成された各色のトナー像をシートに順次重ねて転写することによって、カラーのトナー像（多色トナー像）を形成する機能を有している。この転写ベルト７は、厚さ１００μｍ程度のフィルムを用いて無端状に形成されている。
【０１９９】
感光体ドラム３からシートへのトナー像の転写は、転写ベルト７の裏側に接触している転写ローラ６によって行われる。転写ローラ６には、トナー像を転写するために高電圧（トナーの帯電極性（−）とは逆極性（＋）の高電圧）が印加されている。転写ローラ６は、直径８〜１０ｍｍ程度の金属（例えばステンレス）軸をベースとし、その表面は、導電性の弾性材（例えば、ＥＰＤＭ、発泡ウレタン等）により覆われているローラである。この導電性の弾性材により、シートに対して均一に高電圧を印加することができる。なお、本実施形態では転写電極として転写ローラ６を使用しているが、これに限らず、例えばブラシ等を用いることもできる。
【０２００】
このように、転写搬送ベルトユニット８の各部材が、感光体ドラム３からシートへトナー像を転写させる転写手段として機能する。転写手段の構成は、転写搬送ベルトユニット８に限るものではない。転写手段がベルトでない場合には、図３において、転写ベルト７として示す領域を、その代わりに、感光体ドラム３の展開図として考えることもできる。
【０２０１】
また、感光体ドラム３との接触により転写ベルト７に付着したトナーは、シートの裏面を汚す原因となるために、転写ベルトクリーニングユニット９によって除去・回収されるように設定されている。転写ベルトクリーニングユニット９には、転写ベルト７に接触する例えばクリーニングブレードが備えられており、クリーニングブレードが接触する転写ベルト７は、裏面から転写ベルト支持ローラ７４で支持されている。
【０２０２】
給紙トレイ１９は、画像形成に使用するシートを蓄積しておくためのトレイであり、画像形成部１００の下側に設けられている。また、画像形成部１００の上部に設けられている排紙トレイ１５は、印刷済みのシートをフェイスダウンで載置するためのトレイである。また、画像形成部１００の側部に設けられている排紙トレイ３３は、画像形成済みのシートをフェイスアップで載置するためのトレイである。
【０２０３】
また、画像形成部１００には、シートを給紙トレイ１９からシート転写搬送ユニット８や定着ユニット１２を経由させて排紙トレイ１５に送るための、Ｓの字形状の用紙搬送路Ｓが設けられている。さらに、給紙トレイ１９から排紙トレイ１５および排紙トレイ３３までの用紙搬送路Ｓの近傍には、ピックアップローラ１６、レジストローラ１４、定着ユニット１２、搬送方向切り替えゲート３４、シートを搬送する搬送ローラ２５等が配されている。
【０２０４】
搬送ローラ２５は、シートの搬送を促進・補助するための小型のローラであり、用紙搬送路Ｓに沿って複数設けられている。ピックアップローラ１６は、給紙トレイ１９の端部に備えられ、給紙トレイ１９から、シートを１枚毎に用紙搬送路Ｓに供給する呼び込みローラである。
【０２０５】
搬送方向切換えゲート３４は、側面カバー３５に回転可能に設けられており、実線で示す状態から破線で示す状態にすることにより搬送路Ｓの途中からシートを分離し、排紙トレイ３３にシートを排出できるようになっている。実線で示す状態の場合には、シートは定着ユニット１２と側面カバー３５、搬送切換えガイド（ゲート）３４の間に形成される搬送部Ｓ’（用紙搬送路Ｓの一部）を通り上部の排紙トレイ１５に排出される。
【０２０６】
また、レジストローラ１４は、用紙搬送路Ｓを搬送されているシートを一旦保持するものである。そして、感光体ドラム３上のトナー像をシートに良好に多重転写できるように、感光体ドラム３の回転にあわせて、シートをタイミングよく搬送する機能を有している。
【０２０７】
すなわち、レジストローラ１４は、（図示しない）レジストセンサの出力した検知信号に基づいて、予め設定されたタイミングでレジストクラッチ（図２を参照）を制御し、各感光体ドラム３上のトナー像の先端をシートにおける画像形成範囲の先端に合わせるように、シートを搬送するように設定されている。
【０２０８】
定着ユニット１２は、ヒートローラ３１、加圧ローラ３２等を備えており、ヒートローラ３１および加圧ローラ３２は、シートを挟んで回転するようになっている。
【０２０９】
また、ヒートローラ３１は、（図示しない）温度検出器からの温度検出値に基づいて制御手段によって所定の定着温度となるように設定されており、加圧ローラ３２とともにシートを熱圧着することにより、シートに転写された多色トナー像を溶融・混合・圧接し、シートに対して熱定着させる機能を有している。
【０２１０】
なお、シートの排出先が排紙トレイ１５に指定されている場合には、多色トナー像の定着後のシートは、搬送ローラ２５…によって用紙搬送路Ｓの反転排紙経路に搬送され、反転された状態で（多色トナー像を下側に向けて）、排紙トレイ１５上に排出されるようになっている。画像処理基板３００は、画像データに対して所定の処理を施す回路基板であり、制御回路基板４００は画像形成プロセスを制御する回路基板であり、後述の制御手段に収容されている。
【０２１１】
次に、給紙デスク装置２０について説明する。給紙デスク装置２０は、画像形成部１００の給紙トレイ１９の下方に備えられている。給紙デスク装置２０は、３段の給紙トレイ２０ａ〜２０ｃを備えており、用紙搬送路Ｓを経由して、画像形成部１００に用紙を供給できるようになっている。なお、本実施形態の複合機１は、給紙デスク装置２０の構成に限らず、１段の給紙トレイを備えたものや、並行に２個のトレイを備えたタンデムトレイを備えたもの、あるいは単にデスクとして機能するもの等、ユーザの要望に応じて装着できるようになっている。
【０２１２】
なお、本実施形態では、画像形成部１００を多色の画像を形成する多色画像形成装置として説明するが、モノクロ（白黒）画像形成を行う画像形成装置でも本発明の一部を除く機能を実施可能であるものとする。また、複合機１として、自動原稿搬送装置２１０を備えたものについて説明しているが、これに限るものではなく、自動原稿搬送装置は装着されていなくてもよい。
【０２１３】
また、複合機１は、複合機１の動作を制御するための制御手段を備えている。制御手段は、例えば画像形成部１００における制御条件を調整する。
【０２１４】
制御手段５００には、図２に示すように、定着部５０１、転写部５０２、現像部５０３、帯電部５０４、搬送手段５０５、パターン記憶部５０６、データ記憶部５０７、操作部（操作手段）５０８、データ入出力部５０９、画像データ入力部（データ入力手段）５１０、画像処理部５１１、メモリ５１２、書込み部（書込み手段）５１３が接続されており、制御手段５００はこれらを制御する。搬送手段５０５は、搬送モータ５１４、レジストクラッチ５１５から構成されている。
【０２１５】
複合機１における画像形成の際の制御について説明する。定着部５０１、転写部５０２、現像部５０３、帯電部５０４、書込み部（書込み手段）５１３は、それぞれ、定着ユニット１２、転写ローラ６ａ〜６ｄ、現像器２ａ〜２ｄ、帯電器５ａ〜５ｄ、露光ユニット１０ａ〜１０ｄと、それらの周辺機器とが含まれる。これらにより、シートに画像が形成される。
【０２１６】
制御手段５００は、帯電部５０４に対して、帯電器５ａ〜５ｄとしての帯電チャージャーのグリッドバイアス電圧を制御することで、感光体ドラム３ａ〜３ｄの表面電位を制御する。
【０２１７】
制御手段５００は、書込み部５１３の光ビームパワーや書込みタイミング等の書込み動作の制御を行う。また、書込み部５１３（露光ユニット１０）がＥＬやＬＥＤ書きこみヘッドの場合には、その光ビームパワーや書込みタイミング等の書込み動作の制御を行う。
【０２１８】
制御手段５００は、現像部５０３に対して、現像器２ａ〜２ｄにおける現像ローラのバイアス電圧を制御して適正な現像が行われるよう制御する。制御手段５００は、転写部５０２に対して、図示しない転写用の高圧電源からの転写ローラ６ａ〜６ｄへの印加電圧の制御を行う。
【０２１９】
制御手段５００は、定着部５０１（定着ユニット１２）のヒートローラ３１を、（図示しない）温度検出器からの温度検出値に基づいて、所定の定着温度となるように制御する。制御手段５００は、搬送手段５０５に対して、搬送モータ５１４およびレジストクラッチ５１５の動作の制御を行う。
【０２２０】
また、複合機１においては、画像形成の調整を行うために、制御手段が以下の動作をする。制御手段５００は、パターン記憶部５０６に対して、予め決められた画像データのパターンを記憶するよう制御する。制御手段５００は、データ記憶部５０７に対して、基準値を記憶するよう制御する。
【０２２１】
また、複合機１は、装着されていない読取手段等の外部の機器からの読み取り結果のデータ等を入力するためや、複合機に装着されている読取手段２００で読取った読み取り結果のデータ等を外部の機器へ出力するためのデータ入出力部５０９を備えている。
【０２２２】
また、複合機１における読取動作は、以下のように制御される。読取手段２００は、図１で示した自動原稿搬送装置２１０との関連した動作により、自動原稿搬送装置２１０にて自動搬送される原稿の画像を読み取る。そして、読み取った画像を画像データとして図２に示す画像データ入力部５１０へと転送する。
【０２２３】
制御手段５００は、画像データ入力部５１０に対して、読取手段２００で読み取られた画像データが、画像形成部１００の画像処理部５１１に入力されるよう制御する。制御手段５００は、画像処理部５１１に対して、画像データ入力部５１０に入力された画像データに対して所定の画像処理を行うよう制御する。このようにして、画像データ入力部５１０に転送された画像データに対しては、画像処理部５１１にて所定の画像処理が施される。
【０２２４】
制御手段５００は、メモリ５１２を制御して、画像処理部５１１で処理された画像データを一旦記憶するよう制御する。制御手段５００は、書込み部５１３に対して、露光ユニット１０ａ〜１０ｄのＥＬやＬＥＤ書きこみヘッド、レーザ照射部の光ビームパワーの制御を行う。これによって、画像処理が施された画像データはメモリ５１２に一旦記憶され、出力指示に応じてメモリ５１２内の画像データを読み出して書込み部５１３に転送される。
【０２２５】
さらに、本実施の形態では、制御手段５００には演算手段６００が接続されている。演算手段６００は、読取手段２００でシートに形成された画像を読み取ることで得られる読取データから、シート対する画像の形成条件を補正する補正値を求めるものである。この演算手段の動作については後述する。
【０２２６】
また、複合機１は、複合機１のユーザインタフェースとしての操作パネルを、読取手段２００の位置に備えている。
【０２２７】
操作パネル２２０には、図８に示すように、左部分には、タッチパネル液晶表示装置（ＬＣＤと称呼する）２２１が配置されていて、その右側にテンキー２３１、スタートキー２４１、クリアキー２５１、および全解除キー２６１が配置されている。
【０２２８】
このＬＣＤ２２１の画面上には、種々の画面が切換えられて表示される。これらの画面中では、種々の条件を設定するタッチキーが配置されており、タッチキーを指で直接押圧操作して、各種の条件設定（例えば白黒／カラーのモード選択，原稿の種類選択，自動／手動の選択，その他の特別な機能選択など）が可能になっている。また、操作のガイダンスや警告等もこのＬＣＤ２２１に表示される。付加画像（広告）等を付加するか否かの選択キーを画像形成装置側に設ける場合には、このＬＣＤ２２１にタッチキーとして設けるか、あるいはテンキーなどのように操作パネル２２０上にハードキーとして設ける。この場合、ＬＣＤ２２１上にタッチキーとして設けることが好ましい。これにより本機能を画像形成部１００に組込む場合にソフトウエアの追加で済み、画像形成部１００を共通に使用できる。
【０２２９】
また、ＬＣＤ２２１とテンキー２３１の間には、本画像形成部１００を有する複合機１が複合機として動作する時の機能を切換えるキーとして、プリンタキー２７１、ファクシミリ／イメージ送信キー２８１、コピーキー２９１、およびそれぞれの機能ごとに登録されているジョブ状況を確認するためのジョブキー３１１等が配置されている。
【０２３０】
ＬＣＤ２２１の右側に配置されたキー群のうち、テンキー２３１はＬＣＤ２２１画面における数値（複写枚数等）を入力するのに使用するキーであり、スタートキー２４１はそれぞれの処理モードでの画像形成動作や読取動作の開始を指示するためのキーである。クリアキー２５１はＬＣＤ２２１に表示される設定値をクリアしたり、画像形成動作など現在実行中の動作の中断を行ったりするキーであり、全解除キー２６１は、読取の条件や画像の形成条件等の設定をデフォルト値に戻すためのキーである。割込キー３２１は、実行中の画像形成動作などを一時中断して他の画像形成を許容するためのキーである。
【０２３１】
なお、図８ではカラー画像形成モードが選択されている状態を表している。このときコピー濃度などの画像形成や読取時の濃度は自動的に原稿に応じて制御されるようになっている。
【０２３２】
複合機１に入力される、画像形成動作や読取動作の開始の指示等を操作パネル２２０にて検出すると、制御手段５００は、画像形成部１００の書込み部５１３や搬送手段５０５が動作するよう制御する。
【０２３３】
以下では、複合機１における画像の形成条件の補正について詳細に説明する。
【０２３４】
本複合機１で使用可能な最大シートサイズはＡ３サイズ（２９７ｍｍ×４２０ｍｍ）とする。この場合、例えば、Ａ４サイズ（２１０ｍｍ×２９７ｍｍ）や、Ｂ５サイズ（１８２ｍｍ×２５７ｍｍ）、Ｂ４サイズ（２５７ｍｍ×３６４ｍｍ）等のシートを用いて画像の形成条件を調整する補正値を求めることもできるが、画像形成部１００で使用可能な最大サイズのシートよりも小さいシートを用いることが好ましい。なぜなら、使用可能な最大サイズよりも大きなシートを用いると、シートのサイズが大きくなる分、大きな画像を形成しなければならいために現像材（トナー）の消費が増え、また画像形成部１００の調整にかかる時間が長くなってしまうからである。
【０２３５】
画像の形成条件の調整を開始すると、まず、パターン記憶部５０６に記憶されている予め決められた画像データに基づいて、少なくともシートの３つの角部を含む領域に画像を形成する。
【０２３６】
本実施形態では、詳しくは以下で説明するが、シートの角部を食み出す画像を形成することで、シートの３つの角部を含む領域に画像を形成する。なお、上記「角部」とは、シートの頂点、すなわちシートの辺と辺との交点を含む領域を意味しており、上記交点を含んでいれさえすれば、上記領域の大きさおよび形状は特に限定されるものではない。
【０２３７】
ここで、仮に画像形成部１００の書込み範囲（画像形成領域Ｋ）がＡ４サイズのシートの長手方向と同じ長さであるとする。この場合、Ｂ５サイズのシートを用いればシートの角部を食み出す画像を形成することができる。しかしながら、本実施の形態のように画像形成部１００の調整のためにＡ４サイズのシートを用いる場合には、横送り、すなわち、画像形成部１００の副走査方向（シートの搬送方向）に対して垂直にシートの長手方向を設けると、上記画像形成領域Ｋがシートの長手方向ぎりぎりになり、シートの角部から食み出す画像を形成することができなくなってしまう。そこで本実施の形態では、縦送り、すなわち、画像形成部１００の副走査方向に、Ａ４サイズのシートの長手方向を設けてシートを搬送する。これにより、確実にシートの角部から食み出す画像を形成することができる。
【０２３８】
本実施形態では、上述したパターン記憶部５０６に、図３に基準画像Ｐとして示すような枠状のパターン（以下、このパターンを「枠画像」という）が記憶されているものとする。本実施の形態では、Ａ４サイズのシートを用いる場合には、パターン記憶部５０６には、図３に示す主走査方向Ｄ２の枠画像の外端部から外端部までの距離Ｊ３が２３０ｍｍ、副走査方向の枠画像の外端部から外端部までの距離Ｊ１が３１７ｍｍ、そして枠と枠との間の距離Ｊ４、Ｊ２が、それぞれ１８０ｍｍ、２６７ｍｍとなるような枠画像が記憶されている。そして枠画像が、図３に示すように、枠画像の内枠部分はシートＮ内に含まれ、枠画像の外枠は、シートＮの角部をはみ出すようになっている（図３では、シートＮを点線で示し、枠画像を斜線で示している）。このような枠画像とすることで、シートＮの縁辺全てを含む領域に画像を形成することができる。なお、枠画像は、図３に示すように、転写ベルト７の画像形成領域Ｋ内に含まれる大きさとなっている。
【０２３９】
なお、パターン記憶部５０６には、１つのサイズの枠画像だけを記憶させておいてもよく、複数のシートサイズに対応できるよう複数の枠画像を記憶させておいてもよい。
【０２４０】
さらに、本実施形態では、図３に示すような、枠画像の内側に形成される、画像の方向を示す長方形の方向マークＭが記憶されている。これにより枠画像の形成されたシートを読取手段２００にセットする場合に、画像の方向を間違えることはない。なお、視覚性を重視して矢印型の方向マークとしてもよいが、これによればパターン記憶部５０６でのデータ容量を多くとり、また読取手段２００でシートに形成された画像を読み取る際に、読取結果を判定するのが複雑になるので、本実施の形態のように、単純な長方形のマークにすることが好ましい。また、方向マークＭを形成せずに、自動的に読取手段２００にセットされたシートの向きを検出するような構成としてもよい。また、画像形成部１００で出力されたシートが原稿台２０９で大きく傾いて載置される場合も考えられるので、これを防ぐために、傾きの許容範囲を定めておき、読み取り時に許容値を越えた場合にはエラーを発生させ、その旨を操作部５０８の操作パネル２２０に表示させ、再度読み取りを行うように制御してもよい。
【０２４１】
データ記憶部５０７には、基準値が記憶されている。本実施の形態では、Ａ４サイズのシートの縦・横の長さが基準値として記憶されており、このＡ４のサイズを基準として補正値を求めるようになっている。
【０２４２】
次に、図７に基づいて、複合機１における、画像形成部１００の画像形成条件を調整するための具体的な処理の流れを説明する。
【０２４３】
画像形成部１００で枠画像を形成し、シートに対して転写してシートを出力する（Ｓ１）。ここで、画像形成部１００の感光体ドラム３に形成され、シートＮおよび転写ベルト７に対して転写される枠画像は、図３に示す基準画像Ｐのようになっている。画像が転写され、定着ユニット１２などを介して例えば排紙トレイ３３に排出されたシートは、図４に示すシートＱ０のように、縁辺全てに画像が形成された状態となっている。ここで、図４に示すシートＱ０における長さＬ３は、図３に示す枠画像における長さＪ２に対応する。また、図４に示すシートＱ０における長さＷ３は、図３に示す枠画像における長さＪ４に対応する。
【０２４４】
そして出力されたシートが読取手段２００にセットされたことを例えばユーザの指示あるいは読取手段２００の図示しない原稿検知手段により検出すると（Ｓ２）、読取手段の読取動作が可能となり、ユーザがスタートキー２４１を押すことにより発生するスタート信号により、読取手段２００がシートに形成された枠画像の読み取りを行う（Ｓ３）。
【０２４５】
このとき、図５に示すように、読取手段２００の原稿載置ガイド（原稿基準部材）８１０に対して、読み取るためのシートＱ１が当接するようにすれば、シートを正確に載置することができる。また、原稿載置ガイド８１０に、シートの位置や大きさを示す目印（図示しない基準マーク）を設けてもよい。この基準マークを用いれば、シートの載置がさらに正確になると期待できる。
【０２４６】
ただし、例えば原稿載置ガイド８１０の材質などによっては、原稿載置ガイド８１０とシートの端部との区別が困難となり、その結果シートの角部に形成された画像の読み取りが困難となり、読取精度が低下してしまう場合がある。このような場合には、図６に示すように、原稿載置ガイド８１０と読み取るためのシートＱ１の端部との間に隙間を設けてシートを載置する。このようにすれば、シートの角部に形成された画像を、確実に、精度よく読み取ることができる。
【０２４７】
また、図５および図６にシートＱ２として示すように、シートの長手方向が読取手段２００の主走査方向と平行となるように、読取手段２００の読取領域８００に載置することもできる。しかしながら、これによれば、読取手段２００の必要なサイズが大きくなる分、画像の読み取りに必要な図示しない読取センサを増やさなければならないため、読取手段２００のコストアップとなってしまう。また、読取手段２００で正確に読み取りを行うには、読取領域８００内にシートを正確に載置しなければ読み取りミスが発生してしまう。
【０２４８】
そこで、図５および図６にシートＱ１として示すように、シートの長手方向が読取手段２００の副走査方向と平行となるように、シートを読取手段２００の読取領域８００に載置する。これによれば、読取手段２００の必要なサイズを最小限にすることで、読取手段２００のコストを抑えることができる。また読取領域８００内に余裕を持ってシートを載置することができるので、読み取りミスの発生を抑えることができる。
【０２４９】
ここで、上述のように、Ｓ３においては読取手段２００によってシートの図４のような枠画像を読取り、ここからまずシートのサイズを得る。
【０２５０】
本実施の形態では、シートのサイズとして、図４に示すシートＱ０の長さＷ０およびＬ０を読取る。そして、図４に示す枠画像の主走査方向・副走査方向それぞれの前方および後方それぞれに形成された画像と画像との間の距離（図４に示すＷ３およびＬ３）を読み取る。さらに、シートの搬送方向の前方に形成された枠画像（シートの搬送方向と平行な方向の前方に形成された枠画像の幅）、および、後方それぞれに形成された枠画像の幅（図４に示すＬ１およびＬ２）、並びにシートの搬送方向と直交する方向の前方（シートの搬送方向の前方に形成された枠画像の幅）、および、後方それぞれに形成された枠画像の幅（図４に示すＷ２およびＷ１）を読み取る。これらの値は、図２に示す読取手段２００から画像データ入力部５１０に入力された画像データを用いて、制御手段５００によって画像データ入力部５１０から画像データを転送された演算手段６００が算出する。
【０２５１】
本実施の形態では、データ記憶部５０７には、Ａ４サイズのシートにおける長手方向の長さおよびこの長手方向と直交する方向の長さ（すなわちＡ４サイズシートの縦の長さ（２１０ｍｍ）、および、横の長さ（２９７ｍｍ））が記憶されている。
【０２５２】
Ｓ４では、データ記憶部５０７に記憶されているデータと、読取手段２００にて読み取って得た所定のサイズとを比較して、演算手段６００が読取手段２００における倍率補正値を求める。
【０２５３】
まず、読み取った画像データが画像データ入力部５１０に入力されると、演算手段６００で、読み取ったＷ０と、データ記憶部５０７に記憶されたＡ４サイズのシートの長手方向と直交する方向の長さ２１０ｍｍとを比較する。これにより、読取手段２００の倍率が調整されておらず、Ｗ０が２１０ｍｍでないと判別された場合には、読取手段２００における主走査方向の倍率を求めることができる。また、演算手段６００で、Ｌ０とデータ記憶部５０７に記憶されたＡ４サイズにおけるシートの長手方向の長さ２９７ｍｍとを比較する。これにより、読取手段２００の副走査方向の倍率を求めることができる。
【０２５４】
Ｓ５においては、画像形成部１００側の倍率補正値を求める。これには、まず、図４に示すＷ３に対して、Ｓ４で求めた読取手段２００の主走査方向の倍率補正値を用いて、画像形成部１００がシートに印刷した画像の正確なサイズを求める。このサイズと、パターン記憶部５０６に記憶されているパターンに応じたサイズとを、演算手段６００が比較して、画像形成部１００における主走査方向の倍率を補正する補正値（倍率補正値）を求める。また、図４に示すＬ３に対して、Ｓ４で求めた読取手段２００の副走査方向の倍率補正値を用いて、画像形成部１００がシートに印刷した画像の正確なサイズを求める。このサイズと、パターン記憶部５０６に記憶されているパターンに応じたサイズとを、演算手段６００が比較して、画像形成部１００における副走査方向の倍率を補正する補正値（倍率補正値）を求める。
【０２５５】
次のＳ６、Ｓ７では、演算手段６００が、書込み部５１３において静電潜像の書込みを行うタイミングを補正する補正値を求める。なお、この補正値を求める手順はＳ６、Ｓ７の順に限るものではなく、Ｓ７、Ｓ６の順におこなってもよい。
【０２５６】
Ｓ６では、Ｓ５において得た主走査方向の倍率補正値に基づいて、主走査方向の枠画像前方（図４に示すＷ２）を判定することで、主走査方向の書込みタイミングの補正値を求める。すなわち、例えばＷ２の値に対して、読取手段２００の読取倍率補正をし、さらに画像形成部１００の倍率補正をした後の値が、パターン記憶部５０６に記憶されているパターンの本来の値とどの程度異なっているか判別することによって、書込み部５１３における書込みタイミングの補正値を求めることができる。
【０２５７】
また、副走査方向に異なる少なくとも２ヶ所の位置で、図４に示す主走査方向のＷ２を読み取れば、シートに対して形成された画像の傾きを求めることができる。演算手段６００は、この傾きを補正する補正値も求める。
【０２５８】
Ｓ７では、Ｓ５において得た副走査方向の倍率補正値に基づいて、副走査方向の枠画像前方（図４に示すＬ１）を判定することで、副走査方向の書込みタイミングの補正値を求める。すなわち、例えばＬ１の値に対して、読取手段２００の読取倍率補正をし、さらに画像形成部１００の倍率補正をした後の値が、パターン記憶部５０６に記憶されているパターンの本来の値とどの程度異なっているか判別することによって、書込み部５１３における書込みタイミングの補正値を求めることができる。
【０２５９】
また、主走査方向に異なる少なくとも２ヶ所の位置で、図４に示す副走査方向のＬ１を読み取れば、シートに対して形成された画像の傾きを求めることができる。演算手段６００は、この傾きを補正する補正値も求める。
【０２６０】
Ｓ８では、Ｓ６、Ｓ７において得た書込みタイミングの補正値を、制御手段５００が、複合機１の画像形成部１００に対して反映させる。
【０２６１】
主走査方向のタイミングは以下のように調整する。画像形成部１００の書込み部５１３（露光ユニット１０）がレーザビーム走査方式の場合には、ビームディテクタを通過してからのタイミングを制御手段５００が調整して、主走査方向の書き出し位置を補正する。また、画像形成部１００の書込み部５１３（露光ユニット１０）がＬＥＤヘッド等を用いた固体走査方式の場合には、主走査方向の何処から点灯させるか最初の発光素子を決定する（ずらす）ことで、主走査方向の書き出し調整を行う。なお、固体走査方式の場合には、主走査方向の倍率はほぼ決定しているので通常特に調整する必要はないが、ずれが目立つ場合には何れかの画像データを間引いたり、画像データを補完して増加させ、点灯させる発光素子の数を増減させたりして調整する。
【０２６２】
副走査方向のタイミングは以下のように調整する。ここでは、Ｓ７で求めた副走査方向の書込みタイミングの補正値を用いて、書込み部５１３における書込みタイミングを制御手段５００が調整し、副走査方向の書き出し位置を補正する。なお、これに限るものではなく、例えば図２に示す搬送手段５０５のレジストクラッチ５１５の接続タイミングを調整することによって、副走査方向の書き出し位置を補正することもできる。
【０２６３】
また、副走査方向の倍率補正を、搬送手段５０５の搬送モータ５１４の搬送速度を調整し、シートの搬送速度を調整することによって行う。また、転写部５０２の転写ローラ６を所定の速度で回転させることによって、シートの搬送速度を調整してもよい。また、これに限るものではなく、例えば感光体ドラム３の回転速度を調整して、副走査方向の倍率を補正することもできる。ただし、例えば搬送モータ５１４の搬送速度を調整する構成であれば、画像形成のプロセス条件を変化させずに済むので好ましい。
【０２６４】
このようにして、Ｓ８において、得られた補正値を画像形成部１００に反映させて、処理を終了する。
【０２６５】
また、以上で説明した図７においては、簡単のために画像形成ステーションごとの調整については触れなかったが、複合機１においては、実際には以下のように画像形成ステーションごとの調整を行っている。
【０２６６】
すなわち、本実施形態の複合機１のように、画像形成部１００において複数の色材を用いて画像を形成するために複数の画像形成ステーションを備えている場合には、図２に示すデータ記憶部５０７に、レジスト補正データを記憶させておく。そして、１つの色材を用いて画像を形成して、その色材の画像形成ステーションにおける、画像の形成条件を補正する補正値を求める。残りの色材に対しては、既に得た補正値とレジスト補正データから、その残りの色材の画像形成ステーションにおける補正値を求めることができる。これによれば、１つの色材を用いるだけでよいので、シートに対する画像の形成条件の調整を経済的に行うことができる。
【０２６７】
また、上述の構成に限るものではなく、複数の画像形成ステーションにおいて、それぞれ異なる調整を行う構成としてもよい。具体的には、例えば、上記いずれか１つの画像形成ステーションでは主走査方向および副走査方向それぞれの位置および倍率の調整を行い、残りの画像形成ステーションでは主走査方向の倍率を調整する構成としてもよい。これによれば、シートに対する画像形成条件の調整をより正確に行うことができる。
【０２６８】
また、本実施の形態のように、読取手段２００がカラー読取手段である場合には、３色の光電変換素子のうちいずれか１色の光電変換素子を用いてシートに形成された画像を読み取ることが好ましい。これにより、読取りが容易になるとともに、読み取りによって得られるデータの数が少なくなるので読取データを演算する時間を短くすることができる。
【０２６９】
また、読取手段２００では、シートに画像を形成するときに使用する色剤の補色となる色の光電変換素子を用いることが好ましい。したがって、例えば読取手段２００で用いた光電子素子の色がＢ、Ｇ、Ｒであれば、それぞれ、Ｙ、Ｍ、Ｃの各色を用いたカラー画像を形成すればよい。これにより、読取手段２００で鮮明な読み取りを行うことができるので、より正確な読取データを得ることができる。
【０２７０】
また、画像形成装置と画像読取装置とを含む画像形成システムの実施形態は、上述の複合機１に限るものではなく、例えば図９に示す画像形成装置１００ａとスキャナ（読取手段）２００ａとを含む画像形成システムであってもよい。画像形成装置１００ａは画像形成部１００と同様の機能を備えている。スキャナ２００ａは読取手段２００と同様の機能を備えている。コンピュータ６００ａは、演算手段６００と同様の機能を備えている。このように、読取手段としてのスキャナ２００ａと、演算手段などに相当するパソコンなどのコンピュータ６００ａとを、画像形成装置１００ａに外付けする構成であってもよい。なお、このシステムにおいてスキャナ２００ａで読取って画像形成装置１００ａで印刷する場合には、スキャナ２００ａで読み取った画像データは、画像形成装置１００ａのデータ入力手段である画像データ入力部５１０へと入力される。
【０２７１】
この画像形成システムにおける画像形成条件の補正は以下のように行う。まず、図９に示すように、画像形成装置１００ａでシートに画像を形成してシートＱとして出力する。次に、スキャナ２００ａでシートＱに形成された画像を読み取る。そしてこれによる画像データをコンピュータ６００ａに取り込む。
【０２７２】
コンピュータ６００ａには、例えば画像の形成条件を調整するための補正値を求めるプログラムをインストールする。このプログラムは例えば予め作成しておくようにする。また、コンピュータ６００ａに、画像形成装置１００ａからパターン記憶部５０６、データ記憶部５０７のデータを転送する。コンピュータ６００ａにおいて、プログラムを用いて補正値を求める。補正値は、コンピュータに入力された画像データを解析演算して求めて、コンピュータ６００ａの図示しないディスプレイに表示する。そして、表示された補正値を、画像形成装置１００ａの図示しない操作手段を介して、画像形成装置１００ａに入力すれば、シートに対する画像の形成条件を調整することができる。
【０２７３】
なお、図９に示す構成の場合には、スキャナ２００ａより入力される読取データに基づいて、画像形成装置１００ａにおいて、図示しない演算手段で演算し、補正値を求め、その結果を画像形成装置１００ａの図示しない書込み部に反映させる構成としてもよい。あるいは、スキャナ２００ａの図示しないＣＰＵにて補正値を演算し、その結果の補正値データを、画像形成装置１００ａに情報として転送して調整する構成としてもよい。これらは使用するプログラムによりいずれの構成をも採用できるものとする。
【０２７４】
このように、本実施の形態によれば、少なくともシートの３つの角部を含む領域に画像を形成することで、シートに形成された画像を読取手段で読み取ったときに、シートの角部を容易に読み取ることができる。そして読み取った読取データからシートに対する画像の形成条件を補正する補正値を求めるので、読み取りに用いた読取手段が正確に調整されていなくても、画像形成装置の調整を行うことができる。
【０２７５】
また、シートに形成する画像のデータを、画像形成部１００のパターン記憶部５０６に保存しており、このパターン記憶部５０６に保存されていたデータをシートに印刷するので、調整の際にテストチャートのような基準チャートを不要にできる。また、始めに画像読取装置において基準チャートを読み取らせる工程が不要となる。
【０２７６】
〔実施の形態２〕
本発明の他の実施の形態について図１０〜図１８に基づいて説明すれば、以下の通りである。
【０２７７】
本実施形態の画像形成システムは、画像形成部と画像読取装置とが一体となった、図１に示すような複合機である。以下では、上述の実施の形態１で説明した装置・部材と同じ構成、同じ機能を有する装置・部材については、特に必要がない限り説明は省略し、同じ符号を付して参照する。また、本実施形態の複合機についても、簡単のため複合機１として参照する。
【０２７８】
本実施形態の複合機１は、図１０に示すように、画像形成部（画像形成装置）１００および読取手段（画像読取装置）２００ａを含んでいる。この複合機１は、画像形成部１００の調整だけでなく、読取手段２００ａの調整も行う。画像形成部１００側の補正は、上述の実施の形態１と同様に行う。
【０２７９】
なお、本実施形態の複合機１は、簡単のため、読取手段２００ａの読取倍率については、既に正しく調整されているものとする。これは、通常、画像読取装置は、工場での組立時に、治具などによって主走査方向の倍率は既に機械的に調整されるからである。また、副走査方向の倍率は、第１・第２走査ユニットなどを移動させて読み取りする際の移動速度に応じて決まるのであるが、第１・第２走査ユニットなどを移動させるためのワイヤを巻き取るプーリ等は高い精度で制作されており、倍率に関わる調整は組立段階で完了していると見なすことができるからである。
【０２８０】
本実施形態の複合機１は、図１０に示すように、上述の実施の形態１における図２に示す複合機１とは、読取手段２００ａ、制御手段５００ａ、および演算手段６００ａが異なっている。
【０２８１】
ここで、本実施形態の演算手段６００ａは、読取手段２００ａにて読み取った枠画像のデータに応じて、画像形成部１００の画像形成条件の補正値だけでなく、読取手段２００ａの画像読取条件の補正値についても算出する点が、上述の実施の形態と異なっている。制御手段５００ａは、演算手段６００ａの算出した補正値を、画像形成部１００だけでなく、読取手段２００ａに対しても設定する。読取手段２００ａは読取条件を設定して調整することが可能であり、演算手段６００ａの算出した補正値が制御手段５００ａによって設定されるようになっている。
【０２８２】
上記構成の複合機１は、例えば操作部５０８においてユーザからの調整指示を検出すると、制御手段５００ａがパターン記憶部５０６にアクセスして、枠画像のデータを取得する。制御手段５００ａは、帯電部５０４を制御して感光体ドラム３を均一に帯電する。また、制御手段５００ａは、データを一旦メモリ５１２に記憶し、書込み部５１３に対して出力指示するとともにデータを書込み部５１３に転送する。書込み部５１３によって感光体ドラム３に枠画像の静電潜像が形成される。現像部５０３によって感光体ドラム３の静電潜像が現像される。転写部５０２にて現像材像がシートに転写される。定着部５０１によって画像がシートに定着される。このように枠画像を印刷すれば、シートのサイズを確実に読み取ることができ、例えば読取の倍率補正もすることができる。ここまでの手順は実施の形態１と同様である。
【０２８３】
複合機１の制御手段５００ａは、以下のように、画像形成部１００の用いるシートのサイズを決定する。
【０２８４】
制御手段５００ａは、図１に示す複合機１の給紙トレイ１９および給紙デスク装置２０の給紙トレイ２０ａ〜２０ｃに備えられたシートのサイズを、図示しない検知手段によって検知する。あるいは、給紙トレイごとに予め設定された情報に基づいて給紙トレイを判別し、そして、適切なサイズのシートが載置された給紙トレイを選択する。選択した給紙トレイからシートを搬送手段５０５によって搬送させ、シートに枠画像を印刷する。制御手段５００ａは、印刷するシートとして、画像形成部１００で使用可能な最大シートサイズよりも小さいシートを選択する。
【０２８５】
例えば、画像形成部１００で使用可能な最大のシートサイズ、すなわち最大画像形成サイズがＡ３サイズ（２９７ｍｍ×４２０ｍｍ）の場合について説明する。また、このとき、画像形成部１００の有効画像形成幅は、最大シート（Ａ３）のサイズと同じ幅である２９７ｍｍとする。この場合に、制御手段５００ａは、Ａ４サイズ（２１０ｍｍ×２９７ｍｍ）やＢ５サイズ（１８２ｍｍ×２５７ｍｍ）のシートを選択する。
【０２８６】
例えば、Ｂ５サイズのシートを用いれば、縦向き横向きのいずれの方向にシートを搬送しても、シートをはみ出すように感光体ドラム３に形成した画像を、確実にＢ５サイズのシートに転写することができる。
【０２８７】
また、Ａ４サイズのシートを用いる場合には、シートの長手方向を主走査方向として搬送（横送り）すると、有効画像形成幅がシートの長手サイズと同じとなるため、シートをはみ出す画像を感光体ドラム３に形成することができなくなってしまう。そこで、Ａ４シートを用いる場合は、シートの長手方向を副走査方向とした縦送りで行う。
【０２８８】
Ａ４サイズのシートを用いる場合、図４のＷ０は２１０ｍｍ、Ｌ０は２９７ｍｍとなる。そして、図３に基準画像Ｐとして示す枠画像は、主走査方向Ｄ２の外枠の幅Ｊ３を、シートサイズの２１０ｍｍを超える長さとして、例えば２３０ｍｍとする。また、枠画像の副走査方向（搬送方向Ｄ１）の外枠の幅Ｊ１は、シートサイズの２９７ｍｍを超える長さとなるように例えば３１７ｍｍとする。また、枠画像の主走査方向における内側の間隔Ｊ４（図４に示すＷ３に相当）は、２１０ｍｍより充分小さな間隔とし、例えば１８０ｍｍの間隔とする。また、枠画像の副走査方向における内側の間隔Ｊ２（図４に示すＬ３に相当）は、２９７ｍｍより充分小さな間隔とし、例えば２６７ｍｍの間隔とする。本実施形態においては、このような枠画像のデータが、シートサイズに応じてパターン記憶部５０６に記憶されている。制御手段５００ａは、選択した給紙トレイのシートサイズに応じてパターン記憶部５０６から適切な枠画像のデータを取得し、演算手段６００ａに転送する。
【０２８９】
ここで、枠画像をあまり大きなサイズの画像とすると、現像材（トナー）などの消耗品を多く使用してしまう。このため、調整の対象となる装置に特有のずれを、予め実験などにより定めておいてもよい。この場合、考えられる搬送ずれを考慮し、充分余裕を待たせて形成できるように枠画像の画像データを作成し、パターン記憶部５０６に記憶させておく。パターン記憶部５０６には、本実施形態のように複数のシートサイズに対応できるように複数の画像データを記憶させてもよいし、または少なくとも一つ以上のシートサイズに対応できるように定めた１つのサイズの枠画像だけ記憶させてもよい。
【０２９０】
また、枠画像は、全周が繋がっている必要はなく、例えば図１７（ａ）に示すシートＱ９の領域Ｒ２、Ｒ３、Ｒ４を占めるように、少なくとも３隅に印刷されていればよい。この場合には、調整に使用する現像材を節約することができる。なお、枠画像の印刷において、シートの外枠全体を覆うように印刷するのは、印刷しなければシートのエッジを読取りにくいためである。シートの端まで印刷して黒枠とすれば、シートのエッジを容易に読取ることができる。
【０２９１】
また、シートとしてＢ４サイズ（２５７ｍｍ×３６４ｍｍ）を用いてもよい。ただし、この場合にはシートサイズが大きく、大きな画像を形成しなければならないため、現像材の消費が増大し、調整にかかる時間が長くなってしまう。
【０２９２】
次に、複合機１においては、出力されたシートが、例えばユーザによって、原稿台２０９に載置される。複合機１の操作部５０８においてユーザからの読取指示を検出すると、読取手段２００ａがシートの画像を読取る。
【０２９３】
ここで、本実施形態においては、複合機１の制御手段５００ａは、読取手段２００ａがシートを正確に読取ることができるように、例えば操作パネル２２０（操作部５０８）のＬＣＤ２２１に以下のような内容のメッセージをユーザに対して表示する。すなわち、図１９に示すＬＣＤ２２１ｂのように、「画像読取位置調整」として、「出力されたシートを基準マークに合わせて原稿台上にセットして下さい」と表示する。また、このようにサービスモードにおいてガイダンスをＬＣＤ２２１に表示する構成に限るものではなく、例えばシートに上記と同内容の指示を印刷してガイダンスしてもよい。
【０２９４】
図１１には、ユーザによって、読取手段２００ａの原稿台２０９において、原稿載置ガイド８０１の基準マークＴに合わせてシートＱ５が載置された状態を示す。
【０２９５】
シートＱ５には、形成された画像の方向を示す方向マークＭが形成されている。このため、シートＱ５を載置する際に、ユーザがこの方向マークＭを参照して、画像形成部１００での搬送方向Ｄ３を確認して載置することができる。これによって、ユーザがシートを載置する際に、例えば図１１に示すようにして、セットする方向を間違えないようにできる。
【０２９６】
また、図１８に示すように、Ａ４サイズのシートを載置する場合には、シートＱ３のように短辺側を主走査方向に平行に載置して、シートの画像の読取りを確実にできるようにする。一方、例えばＡ４サイズのシートを、図１８に示すシートＱ４のように載置すると、長辺側が主走査方向と平行となり、シートが調整前の読取領域８０１をはみ出してしまうといったことが生ずるおそれがある。ただし、この場合であっても、読取手段２００ａの読取領域が調整済みであれば、図１８に示すようにシートＱ４が調整後の読取領域８０２の内部に配置されるので、読取りを行うことができる。
【０２９７】
また、図１２に示すように、シートＱ６が、好ましい方向以外の方向で載置される場合も考えられる。このような場合として、例えばユーザが載置方向、搬送方向の勘違いをする場合が考えられる。そこで、複合機１においては、読取手段２００ａがシートＱ６の画像を読み取ると、演算手段６００ａが、方向マークＭから画像形成部１００での搬送方向Ｄ４を検出した上で、シートの載置方向を判別する。そして、適切な読取条件、形成条件を求めるようになっている。このように、複合機１側で、自動的にシートのセットされた向きを検出しても良い。
【０２９８】
なお、本実施形態では、方向マークＭの形状を、簡単のため四角いパターンとしているが、これに限るものではない。例えば、視覚性を重視して、矢印のパターンとしてもよい。ただし、矢印とした場合には、記憶部でのデータ容量を多く取ってしまう。また、シートのセット状態を読取手段２００ａで読取らせる場合に、読取り結果を判断するのが複雑となる。このため、単純な四角のパターンとし、枠画像に対して片寄った位置に形成している。
【０２９９】
図１１に示すシートＱ５のように、原稿台２０９上にシートが載置されると、ユーザからの読取指示を複合機１の操作部５０８が検出して、読取手段２００ａがシートの画像を読取る。ここで、本実施形態のように、画像形成部１００の形成条件だけでなく、読取手段２００ａの読取条件についても補正する場合には、読取手段２００ａの読取領域を確定させるために、例えば主走査方向について読取領域のセンター位置を確定し、また副走査方向については正確な読取開始位置を確定する必要がある。
【０３００】
読取領域のセンター位置とは、例えば図１３に示すように、読取領域の主走査方向に設けられた基準マークＴのセンター位置Ｔ０に相当する。このセンター位置の調整を行うため、複合機１の制御手段５００ａが、操作パネル２２０のＬＣＤ２２１に、以下のような内容のメッセージをユーザに対して表示してもよい。すなわち、「シートの中心を、原稿載置ガイドの基準マークの中心に合わせて下さい。」といった内容をＬＣＤ２２１に表示してもよい。
【０３０１】
そして、図１３に示すように基準マークＴおよびセンター位置Ｔ０に合わせて、搬送方向Ｄ５に応じて配置されたシートＱ７を、読取手段２００ａによって読取りして、演算手段６００ａにて補正値を導出する。読み取った枠の真中が中央であるので、枠画像が形成されたシートＱ７の主走査方向における外枠の両側のエッジの位置から中央の位置を求め、センター位置Ｔ０のための補正値を求めることができる。このように、読取手段２００ａの補正値を求める際には、画像形成部１００での形成条件に応じた誤差を含まない、シート上の枠画像の外枠のデータを用いるようにする。この補正値を読取手段２００ａに反映させれば、調整前の読取領域８０１を調整後の読取領域８０２として、主走査方向の読取位置の中心を基準マークＴの中心であるセンター位置Ｔ０と合わせることができる。
【０３０２】
なお、読取手段２００ａにおいて、シートの外枠の画像を読取るためには、例えば図１７（ａ）に示す領域Ｒ２、Ｒ３、Ｒ４のように、シートＱ９の少なくとも３つの角部を含む領域の読取を行えばよい。ただし、より正確な補正値を求めるために、図示しない枠画像が印刷されたシートＱ１０に対して、図１７（ｂ）に示すような領域Ｒ５〜Ｒ７，Ｒ８〜Ｒ１０の領域をそれぞれ読取りしてもよい。この構成であれば、より確実に正確な補正値を求めることができる。すなわち、シートの長手方向について領域Ｒ５〜Ｒ７、短手方向について領域Ｒ８〜Ｒ１０のように、３つの箇所にわたって読取りを行えば、より確実な読取り値を得ることができる。
【０３０３】
例えば原稿台２０９上で、シートが原稿載置ガイド８１０に対して若干傾いて配置される場合であっても、上述のように副走査方向、または主走査方向にわたって少なくとも２カ所以上となるように３カ所での読取りを行えば、シートの傾きを検出することができる。
【０３０４】
例えば、図４に示す主走査方向の長さＷ０を、副走査方向に異なる２カ所以上の位置で読取りする。このとき、例えばシートの外枠を検出し始める位置（画素のカウント値）が異なっていれば、シートが傾いていることになる。副走査方向の距離と画素のカウント値の差とから、演算手段６００ａにてシートの傾きを求めることができる。また、主走査方向の一方の枠幅Ｗ１が、副走査方向に異なっている場合には、画像形成部１００での書き出しタイミングが正確でなく、シート上に傾いた画像が印刷されていることになる。この傾きも、同様に、副走査方向の距離と枠幅Ｗ１の変化量とから求めることができる。例えば３点で読取りを行う場合には、端の２点で傾きを求めるようにしてもよい。なお、位置ずれは、例えば３点の平均値を用いて計算してもよいし、３点の真中の値を用いてもよい。傾きを計算できれば、これに応じた補正値も計算できる。副走査方向についても同様に傾きを求め、補正値を計算できる。
【０３０５】
また、なんらかの要因によって、シートが原稿台２０９上で非常に大きく傾いてセットされる場合も考えられる。このような場合には、シートが原稿台２０９の原稿載置ガイド８１０に沿って載置されていないことになる。このため、後述するように、読取手段２００ａによるシートの読取開始位置を判別できなくなってしまう。そこで、本実施形態の複合機１においては、予め傾きの許容範囲を定めて図示しない記憶部に記憶させておき、上述のように判別したシートの傾きが予め定めた傾きの許容範囲を超えていると制御手段５００ａが判別した場合には、エラー表示を操作部５０８の表示領域に行うようになっている。例えば、シートの端と端との位置で測定した傾き量が２ｍｍ以上である場合に、エラー表示を行う。これによって、ユーザが原稿台２０９上のシートの載置状態を確認するので、シートが適切に載置された状態で再度の読取りを行うことができる。
【０３０６】
また、例えば画像形成部１００の主走査ラインが湾曲している場合も考えられる。例えば書込み部５１３がレーザ走査方式を用いているとき、偏向手段へのレーザビームの入射角度の傾きやレンズ系の光学特性により、走査線が湾曲することがある。また、書込み部５１３が光ＬＥＤヘッド等の固体走査方式を用いているとき、発光部の配列が一直線になっていない場合や、光書込みユニットが外力により撓んだ場合に、走査線の湾曲が発生することがある。
【０３０７】
このような場合に、例えば副走査方向、または主走査方向にわたって２カ所のみの異なる位置での読取りを行うと、ラインの傾きを検出できないおそれがある。このような状況が予測される場合には、副走査方向、または主走査方向にわたっての読取り箇所を、３カ所以上とすることが好ましい。これによって、ラインの傾きを判別できる。
【０３０８】
次に、図１４に基づいて、副走査方向の読取開始位置の導出について説明する。画像の形成されたシートＱ８は、原稿台２０９上で、原稿載置ガイド８１０に当接するように配置されている。
【０３０９】
シートＱ８に対して、原稿台２０９の下に配置された第１走査ユニット検出器２１３などを副走査方向Ｄ６に移動させることによって、シートＱ８の画像の読取を行う。読取りを行う第１走査ユニット検出器２１３、および図示しない第２走査ユニットの駆動源には、ステッピングモータを用いているので、モータの回転ステップ数によりカウント数を求め、制御手段５００ａが第１走査ユニット検出器２１３などの移動距離を判別する。このカウント数は、制御手段５００ａから演算手段６００ａに入力される。ステッピングモータ以外の例えばＤＣモータを用いた場合には、伝達系にエンコーダ等を連結させることでカウント数を求めることができる。
【０３１０】
図１４に示す位置Ｘ０は、第１走査ユニット検出器２１３が待機しており、走査を始める際の位置である。位置Ｘ１は、調整前において、走査を始めた第１走査ユニット検出器２１３が読取りを開始する位置である。位置Ｘ２は、原稿載置ガイド８１０に突き当たるように配置されたシートＱ８の先端の位置であり、本来読取りを開始するべき位置である。
【０３１１】
本実施形態においては、読取手段２００ａが読取を開始するべき正確な位置Ｘ２を得るために、シートの副走査方向の後端エッジの位置Ｘ３から逆算して位置Ｘ２を得て、読取開始位置（読取開始タイミング）を調整する。
【０３１２】
まず、調整前に予め設定されている、読取開始位置までのカウント値、すなわち位置Ｘ０からＸ１までの移動に要するカウント値をＨ０とする。そして、読取りを開始した位置Ｘ１から、シートの後端エッジで読取りを終了する位置Ｘ３までに得られたカウント値をＣＴ１とする。また、シートＱ８の長さ、基準寸法として知られているカウント値をＣＴ０とする。
【０３１３】
このとき、位置Ｘ０から正確な読取開始位置Ｘ２までのカウント値をＨとすると、Ｈ＋ＣＴ０＝Ｈ０＋ＣＴ１であるので、演算手段６００ａにてＨ＝Ｈ０＋ＣＴ１−ＣＴ０を計算して、Ｈを得ることができる。これによって、予め設定されていた読取開始位置のカウント値Ｈ０に対する補正値ｈ＝Ｈ−Ｈ０を得ることができる。第１走査ユニット検出器２１３を移動させる際に、このカウント値Ｈ、補正値ｈを用いれば、適切な位置Ｘ２にて第１走査ユニット検出器２１３による画像の読取りを開始できる。
【０３１４】
このように、出力したシートＱ８を原稿台２０９に載置して読取りを行う場合に、シートＱ８を原稿基準部材である原稿載置ガイド８１０に突き当てて載置すれば、シートＱ８を原稿台２０９上で位置決めしやすく、原稿台２０９にシートを正しく載置できる。このため、シートＱ８の外枠画像の位置（副走査方向の後端側）を読取るだけで、容易に画像読取開始位置の調整が行える。
【０３１５】
また、上述の説明においては、領域Ｒ１において、原稿載置ガイド８１０とシートＱ８との間ではっきりとした境界を読取ることができない場合を考慮して、シートＱ８の副走査方向の後端側の位置Ｘ３から位置Ｘ２を逆算する構成とした。これは、原稿台２０９の下側から第１走査ユニット検出器２１３などが読取りを行う際に、領域Ｒ１において、読取手段２００ａのフレーム８１１と原稿台２０９のガラスエッジ等とが重なる箇所となるため、はっきりとしたシートＱ８のエッジを読取ることができない可能性があるからである。このため、原稿載置ガイド８１０に突き当てているシートＱ８の部分は読取りを行わないものとした。
【０３１６】
しかしながら、この構成に限るものではなく、例えば原稿台２０９のガラスエッジとその外側のフレーム８１１とが、原稿載置ガイド８１０とシートＱ８とは異なる位置において突き当たるように配置され、これらのエッジとシートのエッジとが重ならない構成あれば、シートＱ８の先端エッジを直接読取りしてデータを得ても構わない。すなわち、シートＱ８の読取画像データより直接位置Ｘ２を読取るようにしてもよい。
【０３１７】
また、上述のように、原稿台２０９の原稿載置の基準位置と原稿台２０９のエッジとが一致している場合に、読取精度が低下しやすくなることも考えられる。これは、原稿載置ガイド８１０とシートＱ８の先端部との切り分けが困難となるためである。この場合には、例えば図６に示すように、原稿台２０９上において、シートＱ１、Ｑ２の端部を原稿載置ガイド８１０から離して載置する。このようにすれば、シート全体を、シートの端部まで確実に読取ることができ、原稿載置ガイド８１０とシートの先端部との切り分けを確実にできる。
【０３１８】
ただし、この場合には、副走査方向の読取開始位置、すなわち読取領域の副走査方向の先端位置を、原稿の先端位置として読取ることができない。そこで、この場合には読取りを２回行うようにする。すなわち、例えば一度目はシート先端部を原稿載置ガイド８１０に沿うように配置して読取し、二度目は原稿載置ガイド８１０からシート先端部を離して載置して読取りを行うようにすればよい。
【０３１９】
また、以上においては、シートＱ８の外枠の位置を用いる場合についてのみ説明したが、本発明はこれに限るものではなく、シートに形成された枠画像の内枠の位置を検出して用いてもよい。ここで、枠画像の内枠は、画像形成部１００の倍率誤差をも含んでいるが、例えば誤差が±０．５ｍｍ以内という所定の精度が得られればよいとする場合には、内枠のデータを読取手段２００ａの調整に用いることもできる。
【０３２０】
以上のようにして、読取手段２００ａの読取りの位置ずれ（主走査方向、副走査方向）について判別し、補正値を得ることができる。本実施形態においては、上述のように、読取手段２００ａの読取倍率については既に調整されているものとしているので、上述のように一度の読取りによって得た位置ずれの補正値を用いて、読取手段２００ａの読取条件を補正することができる。
【０３２１】
次に、読取倍率が調整されていない場合についても説明する。このような場合であっても、以下のように調整が可能である。すなわち、例えば一度目の読取では、画像形成部１００側のみについて、倍率誤差、位置誤差について補正をする。このようにして補正された画像形成部１００を用いて枠画像を印刷したシートを、二度目の読取りにて読取って、読取手段２００ａを以下のように調整する。
【０３２２】
すなわち、倍率までをきめ細かく調整する場合には、画像形成部１００の調整が完了した後に、再度画像形成部１００にて調整用のシートを出力する。このシートを用いて読取手段２００ａの細かな調整を行ってもよい。この場合は、画像形成部１００が先に調整されているため、シートに対して形成する枠画像にはずれがなく、また倍率誤差もないため、読取手段２００ａをさらに精度よく調整できる。
【０３２３】
より詳細には、まず主走査方向について、読取手段２００ａの原稿の載置基準が主走査方向についてセンター基準であるときには、読取手段２００ａの読取倍率に誤差がある場合であっても、画像形成部１００の画像形成タイミングの補正値には影響があるものの、読取位置の調整には影響がない。
【０３２４】
すなわち、主走査方向のセンターの位置は、単純に読取で得られたシートの両端位置の真中の位置を求めその位置を主走査方向のセンターの位置とすればよい。このため、主走査方向のセンターの位置は、シートが原稿載置ガイドの基準マークに対して正確にセットされていれば、読取手段２００ａの読取倍率に多少の誤差があっても影響を受けることなく、正確な位置を求めることができる。
【０３２５】
また、副走査方向の読取開始位置については、副走査方向の後端のエッジから、シートのサイズである基準値を用いて演算手段６００ａにて演算して求めることができる。この場合の補正値の導出については後述する。
【０３２６】
また、読取手段２００ａの原稿読取がセンター基準ではなく片側基準の場合であっても、枠画像が形成されたシートの外枠として検出した位置を、読取り開始位置と定めればよい。ただし、この場合、読取った画像データとして画像形成部１００に出力する画像データは、倍率誤差を考慮した上で画像形成装置に出力するか、または、画像形成部１００に対して倍率誤差の情報を画像データに合わせて出力し、画像形成部１００の画像処理によって倍率誤差を補正する必要がある。
【０３２７】
ここで、シートの外枠の位置を用いて倍率誤差を修正する手順について詳細に説明する。まず、例えば図４に示すシートＱ０に対して、読取手段２００ａにて長さＷ０を読取る。長さＷ０の情報は、実際には画素のカウント数として得られる。その結果を、演算手段６００ａにて、Ａ４サイズのシートの長さ２１０ｍｍにおける本来のカウント数と比較する。これによって、読取手段２００ａの主走査方向の倍率（読取倍率、倍率誤差）Ａｍが求まる。また、読取手段２００ａにて長さＬ０を読取る。この結果と、Ａ４サイズのシートの長さ２９７ｍｍにおける本来の画素カウント数とを演算手段６００ａにて比較する。これによって、読取手段２００ａの副走査方向の倍率Ａｓが求まる。ここで、倍率（倍率誤差）は、（読取より得られた画素数）／（画像データにて構成される画素数）としている。
【０３２８】
倍率誤差を補正するための倍率補正係数を、主走査方向について１／Ａｍ、副走査方向について１／Ａｓとすれば、適正な倍率である等倍の“１”を得ることができる。なお、実際の長さは、読取りで求まった画素のカウント数に解像度を乗じることにより、求めることができる。
【０３２９】
また、図１４を参照して説明したように、副走査方向の読取開始位置をシート後端から求める場合については、倍率補正に応じて補正値を演算手段６００ａにて以下のように求める。すなわち、読取手段２００ａの倍率誤差を考慮するために、読取りカウント数ＣＴ１に上記の補正係数１／Ａｓを乗じたものから、ＣＴ０を減じて補正値ｈを求める。なお、枠画像が形成されたシートの先端部を直接読取りして読取りの開始点を求める場合には、倍率誤差を考慮しなくてもよい。
【０３３０】
また、上述のように、読取手段２００ａに読取誤差がある場合には、画像形成部１００の調整をする際に、読取手段２００ａの倍率誤差と画像形成部１００の倍率誤差との双方を考慮する必要がある。この場合の調整動作について以下で説明する。
【０３３１】
一度目の読取りにおいて、まず読取手段２００ａの読取り倍率誤差を、演算手段６００ａにて、上述のように補正値Ａｍ、Ａｓとして求める。次に、画像形成部１００の倍率誤差を、読取手段２００ａの倍率誤差を考慮した上で、演算手段６００ａにて、枠画像の内側の枠の大きさの読取りデータから求める。この場合の誤差、補正値の導出を、図４を参照して説明する。まず、シートＱ０の読取画像データに対して、先に求めた倍率補正係数Ａｍ、Ａｓを用いて、内側のＷ３、Ｌ３にそれぞれ１／Ａｍ、１／Ａｓを乗ずる。これによって、シートＱ０に実際に形成されている枠画像の大きさを求めることができる。ここで得た大きさと、画像形成部１００が本来印刷するべき枠画像の内枠の大きさとを比較することによって、画像形成部１００による倍率誤差（形成倍率の誤差）を求めることができる。画像形成部１００の倍率補正係数として、主走査方向について１／Ａｍ´，副走査方向について1／Ａｓ´が求まる。画像形成部１００にこの情報が入力される。
【０３３２】
画像形成部１００については、読取手段２００ａと画像形成部１００との主走査方向の倍率誤差を考慮し、Ｗ１を読取った値に１／Ａｍと１／Ａｍ´とを乗じた値と、画像データに基づく正しいＷ１の値とを演算手段６００ａにて比較することによって、主走査方向の書き出しタイミングを求めることができる。これによって、予め設定されている主走査方向の書き出しタイミングに対する補正値が求まる。
【０３３３】
同様に、画像形成部１００において、読取手段２００ａと画像形成部１００との副走査方向の倍率誤差を考慮し、Ｌ１を読取った値に１／Ａｓと１／Ａｓ´を乗じた値と、画像データに基づく正しいＬ１の値とを演算手段６００ａにて比較する。これによって、副走査方向の書き出しタイミングを求めることができる。また、予め設定されている副走査方向の書き出しタイミングに対する補正値を求めることができる。
【０３３４】
画像形成部１００においてレーザビーム走査方式を用いている場合には、主走査方向の調整として、制御手段５００ａがビームディテクタを通過してからのタイミングを調整することにより書き出し位置を調整し、１画素当りの点灯タイミングを調整することにより主走査方向の倍率を調整する。
【０３３５】
一方、画像形成部１００においてＬＥＤヘッド等を用いた固体走査方式を用いている場合には、主走査方向の調整として、何処から点灯させるかという最初の発光素子の位置を調整する（ずらす）ことによって、書き出し位置の調整を行う。また、主走査方向の倍率はほぼ決定しているので特に調整する必要はないが、ずれが目立つ場合には、何れかの画像データを間引いたり、画像データを補完して増加させたりして、点灯させる発光素子の数を増減させることによって調整する。
【０３３６】
画像形成部１００における副走査方向の調整は、画像形成書き出しタイミングとレジストクラッチの接続タイミングの少なくとも何れか一方のタイミングを制御手段５００ａによって調整すればよい。
【０３３７】
また、副走査方向の倍率は、制御手段５００ａによって感光体ドラム３の回転速度あるいはシートの搬送速度の少なくとも何れか一方を調整すればよい。本実施形態においては、搬送機後部の搬送モータの速度を調整している。これは、画像形成のプロセス条件が変化しないシートの搬送方向の速度を調整する方が好ましいためである。
【０３３８】
また、読取手段２００ａの倍率誤差補正については、以下のようにする。例えば、副走査方向の倍率誤差については、制御手段５００ａによって、スキャナの読み取り精度をスキャンスピードに応じて調整して、補正することができる。なお、主走査方向については、倍率は、ほぼ決定しているので特に調整する必要はないが、ずれが目立つ場合には、何れかの画像データを間引いたり、画像データを補完して増加させたりして調整する。
【０３３９】
なお、本実施形態の複合機１は、読取手段２００ａから入力される画像データを用いて、複合機１の演算手段６００ａにて演算して補正値を算出し、その結果を画像形成部１００に反映させる構成としているが、これに限るものではない。例えば、複合機１において、画像形成部１００および読取手段２００ａの少なくともいずれか一方に、専用の演算手段が設けられていてもよい。この場合、補正値を画像形成部１００側の演算手段にて求めてもよいし、または読取手段２００ａ側の演算手段にて求めてもよい。また、画像形成部１００および読取手段２００ａの少なくともいずれか一方に、ＣＰＵのような処理プロセッサが備えられ、この処理プロセッサが記憶部から読み出したプログラムを実行することによって演算手段として機能する構成であってもよい。例えば読取手段２００ａのＣＰＵがプログラムを実行することによって演算手段として機能し、その結果を画像形成部１００に補正値データの情報として転送して、画像形成部１００側で調整する構成であってもよい。
【０３４０】
ここで、上述の一度の読取りによる画像形成部１００、読取手段２００ａの補正動作を、図１５に基づいて説明する。Ｓ１１では、複合機１の画像形成部１００が、シートの縁辺全てを含む領域に枠画像を形成して出力する。Ｓ１２では、出力したシートが読取手段２００ａにセットされたことを検知する。Ｓ１３では、読取手段２００ａがシートの読取を行う。Ｓ１４では、枠画像の外枠、内枠、枠幅などのデータを、読取手段２００ａが読取走査にて求める。ここまでの手順は実施形態１と同様である。
【０３４１】
Ｓ１５では、読取手段２００ａからの画像データを受信した複合機１の制御手段５００ａが、読取手段２００ａの倍率補正係数１／Ａｍ、１／Ａｓを演算手段６００ａにて算出させる。
【０３４２】
次に、本実施形態の複合機１では、Ｓ１６〜Ｓ１８にて、まず読取手段２００ａの補正係数を求め、調整を行う。また、Ｓ１９〜Ｓ２２にて画像形成部１００の補正係数を求め、調整を行う。この読取手段２００ａの調整と画像形成部１００の調整とは、どちらを先に実行してもよいし、また同時に実行してもかまわない。
【０３４３】
Ｓ１６では、読取手段２００ａの読取領域のセンター位置の補正値を演算手段６００ａにて求める。Ｓ１７では、演算手段６００ａにて読取手段２００ａの読取開始位置の補正値を求める。Ｓ１８では、得た補正値を制御手段５００ａが読取手段２００ａに反映させ、制御値を設定する。
【０３４４】
Ｓ１９では、枠画像のデータから、演算手段６００ａが画像形成部１００の倍率補正係数を求める。Ｓ２０では、画像形成部１００の主走査方向について、演算手段６００ａが書込み開始タイミングの補正値を求める。Ｓ２１では、画像形成部１００の副走査方向について、演算手段６００ａが書込み開始タイミングの補正値を求める。Ｓ２２では、制御手段５００ａが補正値を画像形成部１００に反映させ、制御値を設定する。
【０３４５】
以上のように、Ｓ１１にてシートに出力し、それをＳ１３にて読取って、その後調整することによって、１プリント１スキャンの手数のみで、複合機１の読取条件、形成条件を調整できる。
【０３４６】
なお、上述の説明においては、市販されている規定寸法のシートを用いた調整について説明しているが、それに限るものではない。任意のサイズのシートを用いることもできる。この場合、複合機１の操作部５０８（操作パネル２２０）に、所望のシートのサイズを入力する。
【０３４７】
この場合の操作パネル２２０について、図１６に基づいて説明する。操作パネル２２０に対して所定のキー入力をすると、ＬＣＤ２２１ａには、図１６に示すような項目２２２、２２３、２２４が表示される。
【０３４８】
項目２２２は、使用する用紙サイズを設定するものである。タッチパネルとなっているＬＣＤ２２１ａ上の上移動キー２２５ａおよび下移動キー２２５ｂを用いて、項目２２２の内容を変更できる。例えば、図１６に示すように「Ａ４」を表示させることができる。また、上移動キー２２５ａおよび下移動キー２２５ｂを用いて、項目２２２を特殊サイズとしての「その他」に設定することもできる。この場合に、任意のシートのサイズを設定できる。また、さらにこの場合には、このシートに対して枠画像として用いる画像の外枠サイズ、内枠サイズを設定できるようにしてもよい。
【０３４９】
項目２２２を選択すると、項目２２３には選択した用紙の主走査方向のサイズが表示され、項目２２４には副走査方向のサイズが表示される。項目２２３の内容は、上移動キー２２６ａおよび下移動キー２２６ｂを用いて変更できる。また、項目２２４の内容は、上移動キー２２７ａおよび下移動キー２２７ｂを用いて変更できる。
【０３５０】
また、上移動キー２２６ａ・２２７ａ、下移動キー２２６ｂ・２２７ｂの代わりに、テンキー２３１を用いて項目２２３，２２４を設定することもできる。
【０３５１】
なお、調整に使用するシートは一般に画像形成に使用する規定サイズのシートを用いるが、例えば最大±１ｍｍ程度の多少の寸法誤差が生ずる場合も考えられる。また、画像形成に用いる定着装置（定着ユニット１２）が、画像形成前後でのシートの含有水分量を変化させ、画像形成の行われたシートの水分量を減少させることによって、シートのサイズが小さくなることも考えられる。このような場合には、厳密に調整を行うために、シートのサイズ、好ましくは画像形成後のシートのサイズを計測して、上述のようにそのサイズを操作パネル２２０から入力する。また、この場合には、基準サイズとの差を入力するようにしてもよい。このようにすれば、シートのサイズに多少誤差があっても精度の高い調整を行うことができる。
【０３５２】
また、得られた補正データを、画像形成部１００または読取手段２００ａに対して制御手段５００ａが直接設定する構成について説明したが、これに限るものではない。例えば、補正値を一旦操作パネル２２０のＬＣＤ２２１に表示させ、この補正値をサービスマンや管理者が手で入力できるようにしてもよい。
【０３５３】
〔実施の形態３〕
本発明のさらに他の実施の形態について図２０〜図２９に基づいて説明すれば、以下の通りである。
【０３５４】
本実施形態の複合機（画像形成システム）１ａは、画像形成部と画像読取装置とが一体となった、図２０に示すような複合機である。以下では、上述の実施の形態１、２で説明した装置・部材と同じ構成、同じ機能を有する装置・部材については、特に必要がない限り説明は省略し、同じ符号を付して参照する。
【０３５５】
複合機１ａは、図２０に示すように、自動原稿搬送装置２１０、読取手段（画像読取装置）２００、画像形成部（画像形成装置）１００ｂ、給紙デスク装置２２、および中継搬送装置５０を備えている。このうち、画像形成部１００ｂは、給紙トレイとして、給紙トレイ１９および手差しトレイ２７を含んでいる。また、給紙デスク装置２２は、給紙トレイとして、２段の給紙トレイ２０ａ・２０ｂを含んでいる。各給紙トレイのシートは、所定の搬送経路を介して搬送され、画像形成部１００ｂにおいて所望の画像が印刷される。
【０３５６】
この複合機１ａは、シートに対する画像形成条件を、給紙トレイごとに調節する。より詳細には、画像形成条件を調整する際には、給紙トレイからそれぞれシートを搬送して、それぞれのシートに枠画像を形成する。そのシートが自動原稿搬送装置２１０に載置されると、読取手段２００にてシートの画像を順次読取って、画像形成部１００ｂにて補正値を得る。この補正値を用いて、シートに対する画像形成条件を給紙トレイごとに調節する。
【０３５７】
また、本実施形態の複合機１ａにおいては、各給紙トレイから搬送されるシートは、中継搬送装置５０および両面トレイユニット２６を介して、両面に枠画像が印刷されるようになっている。
【０３５８】
また、本実施形態の画像形成部１００ｂは、定型サイズのシートのうち、処理可能な最大サイズのシートまで使用できるものとする。ただし、シートの寸法誤差や画像形成の際に生じうる寸法変化に対して精密に対応する場合や、定形外のサイズのシートを使用する場合を考慮して、操作パネル２２０よりシートのサイズを入力できるようになっている。
【０３５９】
なお、本実施形態の複合機１ａにおいては、簡単のため、読取手段２００の読取倍率については、既に正しく調整されているものとする。これは、通常、画像読取装置は、工場での組立時に、治具などによって主走査方向の倍率は既に機械的に調整されるからである。また、副走査方向の倍率は、第１・第２走査ユニットなどを移動させて読み取りする際の移動速度に応じて決まるのであるが、第１・第２走査ユニットなどを移動させるためのワイヤを巻き取るプーリ等は高い精度で制作されており、倍率に関わる調整は組立段階で完了していると見なすことができるからである。
【０３６０】
ここで、本実施形態における画像形成部１００ｂは、実施の形態１における画像形成部１００とは、給紙トレイとしての手差しトレイ２７を備えている点が異なっている。また、画像形成部１００ｂは、中継搬送装置５０および給紙デスク装置２２の両面トレイユニット２６を用いて、シートの両面に印刷を行うようになっている点が異なっている。
【０３６１】
また、本実施形態における給紙デスク装置２２は、実施の形態１における給紙デスク装置２０とは、両面印刷用の両面トレイユニット２６を備えている点が異なっている。また、給紙デスク装置２２は、給紙デスク装置２０とは給紙トレイの数が異なっている。
【０３６２】
ここで、給紙デスク装置２２について、より詳細に説明すると以下のようである。後付けの給紙デスク装置２２は、シートを収容する給紙トレイ２０ａ・２０ｂを備えている。給紙トレイ２０ａ・２０ｂには多種多様のシートが収容可能であり、そのうちから一つを選択して予め給紙トレイ２０ａ・２０ｂに収容しておく。
【０３６３】
また、給紙デスク装置２２は、両面トレイユニット２６を備えている。両面トレイユニット２６は、給紙デスク装置の最上部に備えられている。両面トレイユニット２６は、シートの表裏の両面に画像を形成するために、片面に画像が形成されたシートを、再度画像形成装置１００ｂに供給するものである。両面トレイユニット２６は、給紙トレイ２０ａ・２０ｂの上部に備えられている。
【０３６４】
両面トレイユニット２６は、用紙反転トレイとして、第１トレイ２６ａと第２トレイ２６ｂとを含んでいる。第１トレイ２６ａは、中継搬送装置５０に支持されている。第２トレイ２６ｂは、給紙デスク装置２２の上部に、支持された状態で配置されている。第２トレイ２６ｂが、第１トレイの先端を支持する。なお、給紙デスク装置２２の上に画像形成部１００ｂを載置すると、画像形成部１００ｂのゴム足により、画像形成部１００ｂと給紙デスク装置２２との間に空間が生じるようになっている。
【０３６５】
また、この給紙デスク装置２２には、両面トレイユニット２６の代わりに、他の給紙トレイを挿入することもできる。例えば、両面画像形成機能を必要としない場合に、他の給紙トレイを挿入すればよい。また、図２０に示す給紙デスク装置２２は３段構成になっているが、これに限らず１段構成の背の低いもの、並行に２個のトレイを備えたタンデムトレイを備えたもの、単にデスクとして機能するもの等であってもよい。画像形成部１００ｂには、ユーザの用途や予算などに応じて、複数の種類の中から所望の適切な給紙デスク装置を選択して装着できる。
【０３６６】
次に、中継搬送装置５０について説明する。中継搬送装置５０は、画像形成装置１００ｂから排出されるシートを、シートに対して所定の処理を行う機能部に中継搬送する装置である。機能部の一例としては、排紙トレイ，用紙反転トレイ，給紙デスク装置の両面トレイユニットなどがあり、本実施形態においては、排紙トレイ３３ａ、給紙デスク装置２２の両面トレイユニット（中間トレイ）２６がある。中継搬送装置５０は、画像形成装置１００ｂの排紙部に装着される。この排紙部は、図１に示す画像形成装置１００において排紙トレイ３３が設けられていた位置に相当する。
【０３６７】
中継搬送装置５０は、第１の反転部５１と第２の反転部５２とを備えている。より詳細には、中継搬送装置５０は第１反転路５０ａを有しており、その第１反転路５０ａの上部と下部に、第１の反転部５１と第２の反転部５２とをそれぞれ備えている。
【０３６８】
第１の反転部５１は、排紙トレイ３３ａに対してフェイスダウンさせてシートを排出するときに、反転動作（スイッチバック動作）を行うための反転部である。なお、排紙トレイ３３ａの代わりに、図示しない後処理装置を後付けして、この後処理装置にシートを排出してもよい。
【０３６９】
第２の反転部５２は、シートの表裏両面に画像を形成する場合に、シートを反転（スイッチバック）する反転動作をさせるための反転部である。より詳細には、第２の反転部５２は、シートの表裏両面に画像を形成する場合に、シートを反転（スイッチバック）する反転動作をさせるために、上述の給紙デスク装置２２と画像形成装置１００ｂとの間に設けた第１トレイ２６ａに導き、スイッチバックさせたいシートを反転させる。また、第１トレイ２６ａと給紙デスク装置２２に設けられた第２トレイ２６ｂにおいて、反転路が形成される。
【０３７０】
また、中継搬送装置５０は、第１ゲート５３および第２ゲート５４を含んでいる。また、第２の反転部５２から給紙デスク装置２２の両面トレイユニット２６までの位置に、搬送路５５が設けられている。開口５５ａは、搬送路５５の上部開口である。開口５５ａは、第１トレイへの開口でもある。開口５５ｂは、搬送路５５の下部開口である。開口５５ｂは、両面トレイユニット２６に接続される。
【０３７１】
なお、自動原稿搬送装置２１０および読取手段２００は、実施の形態１において説明したものと同じ構成である。読取手段２００は、自動原稿搬送装置２１０との関連した動作により、自動原稿搬送装置２１０にて自動搬送される原稿の画像を読み取る。なお、実施の形態１においては特に説明しなかったが、読取手段２００は、自動原稿搬送装置２１０によって搬送される原稿の表面をＣＣＤラインセンサ２０４などによって読取る一方で、自動原稿搬送装置２１０側に設けられた密着イメージセンサを用いて原稿の裏面を読取るようになっている。あるいは、原稿の一方を読み取った後に反転させて再び読取り部（読取手段２００の読取領域）に搬送し、もう一方の面の画像を読み取ることができるように搬送する、いわゆる両面自動原稿搬送装置（ＲＡＤＦ：Reversing Automatic Document Feeder）であってもよい。そして、読み取った画像の画像データを画像形成部１００ｂに転送する。画像形成部１００ｂにおいては、画像データが図２に示すような画像データ入力部５１０に転送され、画像処理部５１１にて所定の画像処理が施され、一旦メモリ５１２に記憶される。そして、図示しない操作パネルにて検出した、ユーザによる出力指示に応じて、制御手段５００にてメモリ５１２内の画像が読み出され、書込み部５１３に転送されて静電潜像が形成される。
【０３７２】
次に、上述した画像形成部１００ｂにおいて印刷する、画像形成条件の調整のためのシートについて説明する。本実施形態の画像形成部１００ｂは、少なくともシートの３つの角部を含む領域に画像を形成する際に、以下のようにして、シートの縁辺全てを含む領域に、枠状の枠画像を形成する。
【０３７３】
Ａ４サイズのシートについて調整を行う場合には、感光体ドラム３（３ａ、３ｂ、３ｃ、３ｄ）上に形成する枠画像の外側のサイズを、主走査方向に、２９７ｍｍを超え有効画像形成幅以下のサイズ、例えば３０７ｍｍのサイズとする。また、副走査方向は、４２０ｍｍを超える長さとなるように、例えば４３０ｍｍのサイズとする。ただし、あまり大きなサイズの画像とすると、その画像を形成するために必要な画像形成部１００ｂのサイズが大きくなってしまう。このため、調整の対象となる装置に特有のずれを実験などにより予め定めておいて、適切な画像サイズを決めるのが好ましい。そして、考えられる搬送ずれを考慮し、余裕を待たせて形成できるように枠画像の画像データを作成し、パターン記憶部５０６に記憶させておく。
【０３７４】
また、主走査方向の内側の間隔（図４に示すＷ３に相当する。）は、使用シートがＡ４の場合には、２１０ｍｍより充分小さな間隔とし、例えば３０ｍｍだけ小さい１８０ｍｍの間隔とする。副走査方向の内側の間隔（図４に示すＬ３に相当する。）は、使用シートがＡ４の場合には、２９７ｍｍよりも充分小さな間隔とし、例えば３０ｍｍだけ小さい２６７ｍｍの間隔とする。このサイズは単なる一例であり、これに限定されない。
【０３７５】
本実施形態においては、複数の給紙トレイ（１９、２０ａ・２０ｂ、２７など）にそれぞれ備えられたシートに対応するために、複数のシートサイズについてのデータを、パターン記憶部５０６に記憶させておく。
【０３７６】
また、本実施形態の複合機１ａは、両面トレイユニット２６に対しての補正値を求めるために、シートの片面または両面に調整用の画像形成を行う。
【０３７７】
片面に調整用の画像形成を行う場合は、給送されたシートの第１面（一方の面）には画像形成を行わずに、シートを両面トレイユニット２６に送り、両面トレイユニット２６から搬送されるシートの第２面（他方の面）に調整用の画像を形成する。このときシートの第２面には、両面トレイユニットから搬送されて画像形成されたことが認識できる、マーク（識別マーク）が付加される。
【０３７８】
一方、両面に調整用の画像形成を行う場合は、まずシートの第１面には、シートの収容されていた給紙トレイに応じたマークを枠画像とともに形成する。その後、両面トレイユニット２６に送られ、両面トレイユニット２６から送りだされたシートの第２面に、両面トレイユニット２６から搬送されて画像形成されたことを示すマークを枠画像とともに形成する。
【０３７９】
なお、両面トレイユニット２６のような両面トレイ手段には、通常、各給紙トレイから搬送されるシートの位置などを整合させる整合手段が設けられている。このため、両面トレイユニット２６について求めた補正値を、シートが最初に収容されていた給紙トレイが何れであるかを問題とせずに適用できる。したがって、１枚のシートに対する片面の画像形成だけで、両面トレイユニット２６に対する補正値を求め、それを適用できる。すなわち、各給紙トレイ（１９、２０ａ・２０ｂ、２７など）からそれぞれ１枚ずつシートを搬送して片面に調整用の画像を形成するとともに、いずれか一つのトレイから搬送し、両面トレイユニット２６を通過させたシートの片面に調整用の画像を形成する。すなわち、給紙トレイ（シート収容手段）には、両面画像形成を行うための両面トレイユニット２６を含めることができる。このように、シートの片面のみに調整用の画像を印刷して、片面だけの処理を可能とすれば、後に読取手段２００や自動原稿搬送装置２１０を用いてまとめてシートを読取り処理する場合に好都合である。
【０３８０】
一方、整合手段の存在を考慮に入れて、例えば両面トレイユニット２６を介する一つのシートには上述のように両面に調整用の画像を形成し、残りの他のシートには片面のみに調整用の画像を形成する場合も考えられる。しかしながら、このように片面に調整用の画像が形成されたものと両面に調整画像が形成されたものとを混在させると、読取手段２００などを用いて読取りを行い、補正値を求める場合の処理が煩雑となる。
【０３８１】
また、全てのシートについて、両面に画像を印刷する場合も考えられる。このようにすれば、例えば給紙トレイごとのシートのサイズが異なる場合に、整合手段において整合誤差が生ずる場合であっても、この整合誤差を考慮して調整ができる。しかしながら、通常はこのような誤差は問題とならないので、両面に画像を印刷して無駄を生じてしまう。
【０３８２】
次に、調整用の枠画像とともにシートに形成するマーク（識別マーク）について説明する。
【０３８３】
本実施形態の複合機１ａは、どの給紙トレイから搬送されたかを識別するための識別マークを、調整用の枠画像とともにシートに形成する。また、この識別マークは、画像形成部１００ｂにおけるシートの搬送方向（形成された画像の方向）を示すようになっている。ユーザが、枠画像の形成されたシートを自動原稿搬送装置２１０の原稿セットトレイ２１１に載置する際には、シート上の識別マークを参照して、正しい向きにセットする。
【０３８４】
また、本実施形態においては、識別マークの例として四角いパターンのみを示しているが、これに限るものではない。例えば、視覚性を重視して、矢印のパターンとしてもよい。ただし、この場合には、パターン記憶部５０６に記憶させる際にデータ容量を多く取ってしまう。また、読取手段２００にて読取った画像データからシートがセットされた向きなどを判別をする際に、手順が複雑になってしまう。このため、本実施形態においては、単純な四角のパターンとしている。また、パターンを枠画像に対して片寄った位置に形成している。
【０３８５】
次に、画像形成部１００ｂを有する画像形成システム１ａにて、調整用のシートを方向マーク（識別マーク）とともに出力した場合のシートの一例を図２１（ａ）〜（ｃ）に示す。
【０３８６】
図２１（ａ）は、給紙トレイ２０ａ（カセット１:CS1）に載置されたＡ４サイズのシートに対して枠画像および方向マークＭ１ａを形成した例を示す。図２１（ｂ）は、給紙トレイ２０ｂ（カセット２:CS2）に載置されたＢ５サイズのシートに対して枠画像および方向マークＭ１ｂを形成した例を示す。一方、図２１（ｃ）は、手差しトレイ２７(CS3)に載置されたＡ４Ｒ（横置き）サイズのシートに対して枠画像および方向マークＭ１ｃを形成した例を示す。以上のように、識別マークとして、給紙トレイを識別するために給紙トレイごとに異なる大きさのマークを用意して、給紙トレイに対応してシートに付加する。この図２１（ａ）〜（ｃ）に示すように、方向マークＭ１ａ〜Ｍ１ｃの大きさを、対応するトレイごとに異ならせることによって、どのトレイから搬送されて出力されたシートかを区別できる。
【０３８７】
また、方向マークを、シートのサイズを識別させるために用いることもできる。この場合、異なるサイズのシートを自動原稿搬送装置２１０にて搬送して読取って補正値を求める際に、方向マークを読取ることによってシートサイズを容易に読取って認識でき、効率的な読取動作を行うことができる。また、トレイの区別をユーザが簡単に視認できるように、給紙トレイに応じた文字列(CS1,CS2,CS3)を印刷してもよい。
【０３８８】
なお、画像形成部１００ｂによって形成される方向マークは、上述の構成に限るものではない。例えば、図２２（ａ）〜（ｃ）に示すシートにそれぞれ形成された方向マークＭ２ａ〜Ｍ２ｃのように、シートの角に対して共通の所定の距離だけ隔たった、所定の位置に設けられる方向マークであってもよい。また、例えば図２３（ａ）〜（ｃ）に示すシートにそれぞれ形成された方向マークＭ３ａ〜Ｍ３ｃのように、所定面積で形成されるマーク領域の個数をそれぞれ異ならせた方向マークであってもよい。このように、各マークを同じ大きさとし、個数や位置を異ならせてシートに付加し、どの給紙トレイから搬送されたものかを認識できるようにしてもよい。また、例えば図２４（ａ）〜（ｃ）に示すシートにそれぞれ形成された方向マークＭ４ａ〜Ｍ４ｃのように、マーク領域に形成する画像の濃度をそれぞれ異ならせた方向マークであってもよい。また、画像形成部１００ｂのように、カラーの画像形成装置であれば、各マークの色を異ならせ、色により給紙トレイを識別させてもよい。
【０３８９】
また、上述した方向マークを区別するための特徴は、それぞれ組み合わせて用いることもできる。すなわち、例えば図２５（ａ）〜（ｃ）に示すシートにそれぞれ形成された方向マークＭ５ａ〜Ｍ５ｃのように、マーク領域に形成する画像の濃度をそれぞれ異ならせるとともに、マーク領域の大きさをそれぞれ異ならせた方向マークであってもよい。
【０３９０】
また、上述したように、ユーザが勘違いをして、シートの搬送方向を誤って認識し、自動原稿搬送装置２１０にシートを正しい向きにて載置しない場合も考えられる。本実施形態の複合機１ａは、読取手段２００にて画像を読取り、画像形成部１００ｂの制御手段５００にてシートがセットされた向きを検出して、正しい補正値を導出することもできる。
【０３９１】
すなわち、シートＱ１は、ユーザによって適切な向きで自動原稿搬送装置２１０に載置されると、自動原稿搬送装置２１０から搬送され、例えば図５に示すような状態で原稿台２０９上に配置されるが、図２６に示すように配置される場合であっても、画像形成部１００ｂの制御手段５００がシートのセットされた向きを検出して、正しい補正値を導出する。同様に、原稿載置ガイド８１０と読み取るためのシートＱ１の端部との間に隙間を設けて、例えば図６に示すようにシートＱ１が配置されるべき場合に、図２７に示すように配置されてしまったとしても、画像形成部１００ｂの制御手段５００がシートのセットされた向きを検出して、正しい補正値を導出する。このようにシートが載置された向きを自動判別する構成であってもよい。
【０３９２】
なお、自動原稿搬送装置２１０を用いずに、出力したシートを原稿台２０９に載置して読取りを行う場合も考えられる。この場合、例えば操作パネル２２０のＬＣＤ２２１にガイダンスを表示して、ユーザにシートを原稿台２０９に載置させる。シートを原稿載置ガイド（原稿基準部材）８１０に突き当てるように載置させれば、原稿台２０９上でシートが正確に載置されやすくなる。この場合、シート先端部と原稿載置ガイド８１０との切り分けが困難となり、読取精度が低下する可能性もある。しかしながら、例えばシートに対する画像の位置ずれが±０．５ｍｍ程度許容できる場合のように、シートに対する画像の形成条件がそんなに厳しいものでなければ、実際上特に問題はない。一方、もし厳しい精度が要求される場合には、原稿載置ガイド８１０から離れた位置にシート先端部がくるように、シートを位置決めして原稿台２０９上に載置させる。このようにシートを位置決めさせれば、シートの先端部を確実に読取ることができる。この場合、シートの後端部についても確実に読取りするように、読取手段２００による副走査方向の画像読取領域を長くする。一つのシートの読取りが終了すると、読取りを終了して調整を実行するのか、または次のシートの読取りを実行するのかを、操作パネル２２０のＬＣＤ２２１に表示させ、ユーザに選択させる。
【０３９３】
一方、上述のように、出力したシートを自動原稿搬送装置２１０を用いて自動搬送させて読取りを行う場合には、シートの位置決めは正確に行うことができ、上述のような問題は生じない。
【０３９４】
次に、読取手段２００による読取りについて説明する。本実施形態の読取手段２００は、上述のように、原稿台２０９の下面に配置されたＣＣＤラインセンサ２０４などによって原稿の一方の面を読取るとともに、原稿台２０９よりも上側の自動原稿搬送装置２１０側に設けられた密着イメージセンサによって原稿の他方の面を読取る。ここで、例えばシートの給送の乱れによって、シートが若干斜めになって読取りされる場合がありうる。また、例えば原稿台２０９上のシートが、若干斜めになって載置される状態がありうる。このような場合の一例として、例えば図４に示すシートＱ０が斜めになった場合について説明する。
【０３９５】
すなわち、この場合であっても、シートＱ０の主走査方向の幅Ｗ０を、副走査方向（図４に示すＬ０の方向）にわたって少なくとも２カ所以上の異なる位置にて測定すれば、シートＱ０の傾きを求めることができる。例えば、異なる位置における、幅Ｗ０の読取開始位置および読取終了位置を比較して、シートＱ０の傾きを求めることができる。この場合、Ｗ１の幅が変わらなければシートが傾いて載置されていることとなる。この傾きを考慮し、読取りで得られたＷ１の幅を補正するような、正しい主走査方向の書き出しタイミング調整用の補正値を求めることができる。副走査方向についても同様である。また、シートに対する形成画像の傾きなどの測定もできるので、画像形成部１００ｂによる画像傾きの調整を行うこともできる。
【０３９６】
また、主走査方向に形成される枠画像のエッジに対する、副走査方向における位置や距離の読取り箇所は、少なくとも３箇所以上とすることが好ましい。この場合、例えば画像形成部（画像形成装置）１００ｂの主走査ラインが湾曲しているときであっても、読取箇所を２箇所とした場合のように湾曲を認識できなかったりラインの傾きとして認識したりすることがなく、確実に湾曲を認識して適切に補正できる。なお、光書込みユニットが例えばレーザ走査方式である場合は、偏向手段へのレーザビームの入射角度の傾きやレンズ系の光学特性により、走査線の湾曲が発生することがある。また、光書込みユニットがＬＥＤヘッド等の固体走査方式の場合には、発光部の配列が一直線になっていないときや、光書込みユニットが外力により撓んだときに、湾曲が発生することがある。
【０３９７】
上述のように読取手段２００にてシートの画像データ（枠画像、方向マーク）を読取って、制御手段５００が画像データ入力部５１０を介して画像データを演算手段６００に送信する。演算手段６００にて、シートに対する画像形成部１００ｂによる画像形成条件を補正する補正値を計算する。
【０３９８】
ここで、シートに対する画像形成の位置を補正する補正値は、全てのシートについて計算をする。一方、シートに対する画像形成の倍率を補正する補正値は、いずれか一つのシートについて計算するのみであってもよい。これは、画像形成を一つのみの画像形成ステーションにて行う場合には、どの給紙トレイから給送されたシートであっても画像形成の倍率は同じとなるからである。このため、ある給紙トレイから搬送された１枚のシートに対して求めた補正値を、他の給紙トレイから搬送された残りの他のシートに対する補正値とすることができ、他のシートについての計算を省略できる。これによって、処理時間が短くなり、作業時間を短くできる。
なお、倍率補正を求める際に、特定の給紙トレイから給送されるシートにて倍率誤差の補正値を求めるように規定してもよいが、実際は、いずれの給紙カセットから給送されたシートに対して行ってもほとんど同じ結果が得られる。このため、いずれの給紙カセットのシートに対して行ってもよい。好ましくは、大きなサイズのシートが格納された給紙トレイを選択して補正値を求める方が、若干ではあるが精度が高くなる。
【０３９９】
次に、図２８に基づいて、画像形成部１００ｂの画像形成条件を調整するための複合機１ａにおける具体的な処理の流れを説明する。
【０４００】
Ｓ２５においては、画像形成部１００ｂの制御手段５００が、複合機１ａの給紙トレイを順次選択し、選択したトレイからそれぞれシートを給送させて、各シートに枠画像および方向マークを印刷する。ここで、画像形成部１００ｂの感光体ドラム３に形成され、シートＮおよび転写ベルト７に対して転写される枠画像は、図３に示す基準画像Ｐのようになっている。画像が転写された後のシートは、図４に示すシートＱ０のように、縁辺全てに画像が形成された状態となっている。
【０４０１】
そして出力されたシートが読取手段２００にセットされたことを例えばユーザの指示あるいは読取手段２００の図示しない原稿検知手段により検出すると（Ｓ２６）、読取手段の読取動作が可能となり、ユーザがスタートキー２４１を押すことにより発生するスタート信号により、自動原稿搬送装置２１０が各シートを読取手段２００の読取領域へと順次搬送し、読取手段２００がシートに形成された画像（枠画像、方向マーク）の読取りを行う（Ｓ２７）。本実施形態の読取手段２００は、上述のように自動原稿搬送装置２１０を備えているので、各トレイから出力された複数枚のシートを、一度のスタートキー２４１の押し下げによって順次読取りさせることができる。
【０４０２】
ここで、上述のように、Ｓ２７において読取手段２００によってシートの図４のような枠画像または方向マークを読取り、ここからまず各シートのサイズを得る。
【０４０３】
そして、Ｓ２８では、読取手段２００による読取倍率を求める。より詳細には、データ記憶部５０７に記憶されているデータと、読取手段２００にて読み取って得た所定のサイズとを比較して、演算手段６００が読取手段２００における倍率補正値を求める。この読取手段２００による読取倍率の補正値は、一つのシートについて求めれば他のシートについても同じであるので、計算を省略できる。
【０４０４】
次に、Ｓ２９では、画像形成部１００ｂの倍率補正値を求める。より詳細には、Ｓ２８で求めた読取手段２００の倍率補正値を用いて、画像形成部１００ｂがシートに印刷した画像の正確なサイズを求める。このサイズと、パターン記憶部５０６に記憶されているパターンに応じたサイズとを、演算手段６００が比較して、画像形成部１００ｂによる画像形成の倍率を補正する、倍率補正値を求める。この倍率補正値については、枠画像の形成を一つの画像形成ステーションを用いて行った場合には、一つのシートについてのみ求めればよい。
【０４０５】
次のＳ３０、３１では、画像形成部１００ｂにおける書き出し位置の補正値を求める。より詳細には、演算手段６００が、書込み部５１３において静電潜像の書込みを行うタイミングを補正する補正値を求める。また、演算手段６００は、シートに対して形成された画像の傾きを求め、この傾きを補正する補正値を求める。なお、この補正値を求める手順はＳ３０、Ｓ３１の順に限るものではなく、Ｓ３１、Ｓ３０の順におこなってもよい。
【０４０６】
Ｓ３２では、上述の処理において得た補正値を画像形成部１００ｂに反映させ、処理を終了する。
【０４０７】
また、以上の処理においては、簡単のために画像形成ステーションごとの調整については触れなかったが、実施の形態１にて説明したように、画像形成ステーションごとに調整をすることもできる。
【０４０８】
また、本実施形態においては、複数のトレイを有する構成の一例として図２０に示す複合機１ａを挙げたが、これに限るものではなく、例えば図１に示す画像形成部１００に手差しトレイ２７ａを加えた、図２９に示す画像形成部１００ｃのような構成であってもよい。この場合、図示しない読取手段２００を画像形成部１００ｃの上に配置して、複合機として機能させる。
【０４０９】
この画像形成部１００ｃは、手差しトレイ２７ａと給紙トレイ１９とを備えている。この二つの給紙トレイから、上述の複合機１ａの画像形成部１００ｂと同様に、それぞれシートを給送して枠画像および方向マークを形成する。そして、上述のように、読取手段２００によって読取りすることによって補正値を得て、この補正値を画像形成部１００ｃに反映させて、画像形成条件を補正できる。
【０４１０】
以上のように、本実施形態に係る複合機１ａは、給紙トレイごとにシートを順次給送し、そのシートに、給紙トレイに対応させて予め決められた方向マーク（識別マーク）を画像形成部１００ｂ・１００ｃにて付加して、各シートに画像を形成する。その後に、シートに形成された画像を読取手段２００で読み取り、読み取って得た画像データから、シートに対する画像の形成条件を補正する補正値を給紙トレイに対応させて求め、その補正値を用いて複合機１ａの画像形成部１００ｂ・１００ｃを調整する。
【０４１１】
ここで、複数の給紙トレイを備えた画像形成装置においては、画像形成部におけるシートへの画像形成条件（印刷位置、印刷倍率）は、通常、給紙トレイに応じて異なったものとなる。
【０４１２】
これは、例えば、給紙トレイにおいてシートをそれぞれ配置する位置が、実際にはトレイごとに微妙に異なったものとなるためである。すなわち、このように給紙トレイの位置において位置ずれがあれば、例えばレジスト手段を用いて斜め送り補正、タイミング補正を行ったとしても、主走査方向のずれを調整することができないのである。この主走査方向のずれは、上述のように、現在では、書込み位置をデータとしてずらすことによって調整できる。なお、以前のアナログの際には、レジストローラに用紙がちゃんとあたるように搬送されるように、各カセット中での用紙の位置をそれぞれ調整していた。今はデジタルなので、書込み位置を調整すればよい。
【０４１３】
また、給紙トレイから画像形成部へとシートが搬送される経路において、誤差が生ずることも考えられる。このため、画像形成条件は、給紙トレイからから画像形成部へとシートが搬送される経路に応じて異なったものとなる、ということもできる。この場合の経路は、両面印刷用の反転経路も含む。
【０４１４】
なお、複合機１ａの給紙トレイに載置するシートを例えばＡ３サイズのシートからＡ４サイズのシートへと変更した場合には、厳密には、そこで調整のやり直しをする必要がある。また、複数の給紙トレイのうちの、第１トレイ、第２トレイに、同じＡ４サイズのシートを入れた場合でも、厳密には、それぞれ調整が必要となる。そこで、本実施形態の複合機１ａのように、一連のボタン操作で各給紙トレイから枠画像を形成したシートをまとめて出力し、さらに各シートをまとめて一度で読取ることによって、各給紙トレイの調整を完了できれば、非常に便利である。
【０４１５】
この場合、どの給紙トレイから搬送されたものか分かるように、給紙トレイを区別するためのマークをシートに形成する。これによって、給紙トレイに応じた誤差を読取り時に把握できる。そして、給紙トレイごとの誤差のデータを得て、画像形成部に記憶させておく。
【０４１６】
また、両面トレイユニット２６を介してシートを印刷する場合にも、厳密には、始めにシートを供給する給紙トレイごとに結果が異なる。例えば第１トレイから両面搬送経路を介した場合と、第２トレイから両面搬送経路とを介した場合には、誤差などの情報が異なる場合がある。すなわち、給紙トレイ、給紙トレイに載置された紙のサイズなどが異なれば、誤差などの状態が異なる可能性が高くなる。給紙トレイごとに誤差が異なることに応じて、給紙トレイから両面搬送経路を介したシートに対して、それぞれ両面に枠画像を形成して、調整してもよい。
【０４１７】
また、それとは逆に、上述のように、両面トレイユニット２６の整合手段を用いることを前提として、いずれかの給紙トレイから一つのシートを供給して、両面トレイユニット２６を介してシートを搬送して枠画像を形成し、調整してもよい。
【０４１８】
また、上述の実施の形態においては、一つのトレイについて一つのシートに枠画像を印刷する構成について説明したが、これに限るものではない。一つのトレイについて複数枚のシートにそれぞれ枠画像を印刷し、それぞれ得たデータを平均化して、調整のためのデータとしてもよい。このようにすれば、調整の精度を向上できる。
【０４１９】
また、上述の実施の形態においては、枠画像の印刷されたシートを、自動原稿搬送装置２１０を用いて読取手段２００にて読取る構成について説明しているが、これに限るものではない。但し、自動原稿搬送装置２１０を用いれば、複数のシートを一度に読取りできるので、上述のように調整を行う場合には特に便利である。
【０４２０】
ここで、近年、画像形成の多様化に伴い、複数の種類のシートを効率よく使用できるように、画像形成装置に多段のシート収容手段が装着されることがある。このような画像形成装置では、それぞれのシート収容手段ごとにシートに対する画像を形成する位置の調整が行われる。特にシートと画像との位置関係は、各シート収容手段から画像形成部まで搬送される条件が同じではなく、使用されるシート収容手段によって画像形成部に給送されるシートの位置が異なりうるため、それぞれ調整を行う。調整用の画像が形成されたシートに、どのシート収容手段から出力されたかを示すマークがある場合には、誤った調整を防止することに役立つ。しかしながら、それぞれのシート収容手段から給送したシートに対する画像の倍率や位置の調整を、いちいち手作業で行うと、大変な労力であり、調整に長い時間がかかるという問題がある。
【０４２１】
そこで、上記の問題に臨みて、それぞれのシート収容手段から給送されるシートに対して異なる基準画像を形成させることで、画像読取装置を用いて作成された画像形成物を読取った場合に、どのシート収容手段に対する補正値を求めようとしているのかが容易に判断でき、複数のシート収容手段に対する補正値をまとめて求める場合に、画像形成装置でまとめて調整用の画像形成物を作成し、画像読取装置にてまとめて作成した画像形成物をまとめて読取ることで、短時間に効率よく複数の補正値を間違わずに求め設定することができる画像形成装置の調整方法とその方法を用いた画像形成装置を提供する。
【０４２２】
なお、上述した特開平１０−４４９３号公報には、両面の調整をする点、複数トレイを一度に調整する点は開示されていない。本実施形態の複合機１ａは、複数トレイを一度に調節するものであるが、全てのトレイを一度に調節する構成に限るものではなく、トレイを個別に選択、または複数個選択して処理することもできる。ただし、一度で調節すれば、ボタンを押す回数を減らせる。
【０４２３】
〔実施の形態４〕
本発明のさらに他の実施の形態について、図３０に基づいて説明する。本実施形態の複合機は、単色の画像形成部、読取手段を備えた構成である。すなわち、上述の実施の形態においては、実施例としてカラー画像の形成を行うことができるカラー画像形成装置、およびカラー画像の読取りが行えるカラー読取装置を用いて説明したが、単色（白黒）画像形成しかできない単色画像形成装置や単色の読取データしか得ることが単色画像読取装置を用いても同様な効果を得ることができることは言うまでもない。
【０４２４】
本実施形態の複合機（画像形成システム）１ｂは、画像形成部と画像読取装置とが一体となった、図３０に示すような複合機である。複合機１ｂは、単色（モノクロ）の画像形成を行う複合機の一例である。また、複合機１ａは、モノクロの画像形成部に対して、モノクロの画像読取装置（１ラインのイメージセンサを備えた画像読取装置）を組み合わせた構成である。なお、一般的に、モノクロの画像形成部に対しては、モノクロの画像読取装置が組み合わされる。以下では、上述の実施の形態１ないし３で説明した装置・部材と同じ構成、同じ機能を有する装置・部材については、特に必要がない限り説明は省略し、同じ符号を付して参照する。
【０４２５】
複合機１ｂは、図３０に示すように、概略的に、自動原稿搬送装置２１０、読取手段（画像読取装置）２００ｂ、画像形成部（画像形成装置）１００ｄ、給紙デスク装置２３、および後処理装置６０を備えている。
【０４２６】
複合機１ｂは、上部に自動原稿搬送装置２１０を備えている。自動原稿搬送装置２１０は、透明ガラスからなる原稿台２０９の上面に配置されている。自動原稿搬送装置２１０は、原稿セットトレイ上にセットされた複数枚の原稿を１枚ずつ自動的に原稿台２０９上へ給送する。
【０４２７】
読取手段２００ｂは、単色の読取手段である。読取手段２００ｂは、原稿台２０９の下部に配置される。読取手段２００ｂは、原稿台２０９上に載置された原稿の画像を走査して読取る。読取手段２００ｂは、第１の走査ユニット２０１、第２の走査ユニット２０２、光学レンズ２０３と光電変換素子であるＣＣＤラインセンサ２０４とを有している。第１の走査ユニット２０１は、原稿面上を露光する露光ランプユニットと、原稿からの反射光像を所定の方向に反射させる第１ミラー等から構成されている。第２の走査ユニット２０２は、第１ミラーから反射されてくる原稿からの反射光を光電変換素子であるＣＣＤラインセンサ２０４に導く第２ミラーおよび第３ミラーより構成されている。光学レンズ２０３は、原稿からの反射光をＣＣＤラインセンサ２０４上に結像させるものである。
【０４２８】
また、読取手段２００ｂは、自動原稿搬送装置２１０との関連した動作により、自動原稿搬送装置２１０にて自動搬送される原稿の画像を、所定の露光位置にて読取るようになっている。上述のように、搬送される原稿の表面をＣＣＤラインセンサ２０４などによって読取る一方で、自動原稿搬送装置２１０側の図示しない密着イメージセンサによって原稿の裏面を読取る。あるいは、原稿の一方を読み取った後に反転させて再び読み取り部に搬送し、もう一方の面の画像を読み取ることができるように搬送する、いわゆる両面自動原稿搬送装置（ＲＡＤＦ：Reversing Automatic Document Feeder）を用いて読み取ってもよい。
【０４２９】
この読取手段２００ｂにて読取られた原稿画像は、画像データとして、図示しない画像データ入力部へと送られ、画像データに対して所定の画像処理が施された後、画像処理部のメモリに一旦記憶され、出力指示に応じてメモリ内の画像を読出して画像形成部１００ｄの光書込み装置である露光ユニット（レーザ書込みユニット）１０ｅに転送される。
【０４３０】
露光ユニット１０ｅは、メモリから読出した画像データ、または外部の装置から転送されてきた画像データに応じてレーザ光を出射する半導体レーザ光源、レーザ光を等角速度偏向するポリゴンミラー、等角速度で偏向されたレーザ光が感光体ドラム３ｅ上において等角速度で偏向されるように補正するｆ−θレンズなどをから構成されている。なお、本実施例では、書込み装置としてレーザ書込みユニットを用いているが、ＬＥＤやＥＬ等の発光素子アレイを用いた固体走査型の光書込みヘッドユニットを用いてもよい。
【０４３１】
画像形成部１００ｄには、その他、感光体ドラム３ｅの周囲に、感光体ドラム３ｅを所定の電位に帯電させる帯電器５ｅ、感光体ドラム３ｅ上に形成された静電潜像にトナーを供給して顕像化する現像器２ｅ、感光体ドラム３ｅ表面に形成されたトナー像を記録紙に転写する転写ローラ（転写器、転写チャージャ等）６ｅ、除電器（除電チャージャ等）６ｆ、および余分なトナーを回収するクリーナユニット４ｅを備えている。画像形成部１００ｄにて画像が転写された記録紙は、その後、定着ユニット１２ａに送られ、画像が記録紙に定着される。
【０４３２】
画像形成部１００ｄの排出側には、上記定着ユニット１２ａの他に、記録紙の裏面に再度画像を形成するために記録紙の前後を反転させるスイッチバック路Ｓ”、画像が形成された記録紙に対してステープル処理等を行うとともに昇降トレイ３３ｃおよび排紙トレイ３３ｄを有する後処理装置６０を備えている。定着ユニット１２ａにてトナー像が定着されたシートは、必要に応じてスイッチバック路Ｓ”を経て排紙ローラ２５ａにて後処理装置６０へと導かれ、ここで所定の後処理が施された後、排出される。
【０４３３】
画像形成部１００ｄの下部には、給紙部が配設されている。給紙部は、本体に備えられた手差しトレイ２７ｂ、両面トレイユニット２６ｃ、給紙トレイ１９ａを含む。また、画像形成部１００ｄの下方には、給紙デスク装置（多段給紙部）２３が備えられている。給紙デスク装置２３は、給紙トレイ２３ａ・２３ｂを備えている。これら給紙トレイ１９ａ、２３ａ・２３ｂ、２７ｂのいずれかから給紙した用紙を画像形成部１００ｄにおける転写ローラ６ｅが配置された転写位置へと搬送手段により搬送する。両面トレイユニット２６ｃは、記録紙を反転させるスイッチバック路Ｓ”に通じており、記録紙の両面に画像形成を行う時に用いられる。なお両面トレイユニット２６ｃは通常の用紙カセットと交換可能な構成となっており、両面トレイユニット２６ｃを通常の用紙カセットに置き換えた構成とすることも可能となっている。
【０４３４】
上記構成の複合機１ｂは、実施の形態１において説明した複合機１と同様に、画像形成部１００ｄにてシートに単色の画像（枠画像、方向マーク）を形成し、読取手段２００ｂにて読取ることによって補正値を得て、その補正値を用いて画像形成部１００ｄによる画像形成条件を補正できる。
【０４３５】
また、上記構成の複合機１ｂは、実施の形態２において説明した複合機１と同様に、画像形成部１００ｄにてシートに単色の画像（枠画像、方向マーク）を形成し、読取手段２００ｂにて読取ることによって補正値を得て、その補正値を用いて画像形成部１００ｄによる画像形成条件および読取手段２００ｂによる読取条件を補正することもできる。
【０４３６】
また、上記構成の複合機１ｂは、実施の形態３において説明した複合機１ａと同様に、
各給紙トレイから搬送したシートに画像形成部１００ｄにて単色の画像（枠画像、方向マーク）を形成し、自動原稿搬送装置２１０および読取手段２００ｂを用いて読取ることによって補正値を得て、その補正値を用いて画像形成部１００ｄによる画像形成条件を補正できる。
【０４３７】
以上のように、本発明は、画像形成装置の調整方法、および、この調整方法を用いた画像形成装置に関し、特に、電子写真方式による画像形成装置のシートに対する画像の形成条件を調整する方法、およびこの方法を用いて調整を行う画像形成装置に関するものである。また、本発明は、基準チャートを用いることなく画像読取装置を調整できる調整方法と、画像読取装置と画像形成装置とをほぼ同時に言い換えれば調整前の画像形成装置より出力された画像が形成されたシート１枚を読取ることで両者の調整を行うことができる調整方法とその方法を用いた画像読取装置および画像形成装置を提供するものである。また、本発明は画像読取装置および電子写真方式による画像形成装置に関し、特に読取位置やシートに対する画像形成位置を調整する方法およびその方法を用いた画像形成装置に画像読取装置を備えた複合機に関するものである。
【０４３８】
これに対して、従来の画像形成装置の調整方法は、位置誤差の補正のみであり、倍率誤差の補正については考慮されていなかった。また、従来の画像形成装置の調整方法は、調整のための操作が複数回にわたり、面倒であるという問題があった。
【０４３９】
本発明は上述した実施の形態に限定されるものではなく、請求項に示した範囲で種々の変更が可能であり、変更した形態または実施の形態にそれぞれ開示された技術的手段を適宜組み合わせて得られる実施の形態についても、本発明の技術的範囲に含まれる。
【産業上の利用可能性】
【０４４０】
本発明に係る画像形成装置は、テストチャートを不要とし、また画像読取装置が正確に調整されていなくとも正しく印刷することができるので、例えばパーソナルユースのプリンタに用いることができる。
【０４４１】
また、本発明に係る画像形成システムは、画像の形成条件の調整が容易であり、調整時間を短縮し、調整手順を少なくできるので、例えばパーソナルユースの複合機に用いることができる。
【図面の簡単な説明】
【０４４２】
【図１】本発明の実施の一形態にかかる画像形成装置の構成を示す内部構成図である。
【図２】本発明の実施の形態にかかる画像形成装置における制御条件を調整するための構成を示すブロック図である。
【図３】本発明の実施の一形態にかかる枠画像を示す図である。
【図４】本発明の実施の一形態にかかるシートに形成された枠画像の様子を示す図である。
【図５】本発明の実施の一形態にかかる、原稿載置ガイドに対してシートを当接させてシートを載置したときの様子を示す図である。
【図６】本発明の実施の一形態にかかる、原稿載置ガイドとシートの端部とに隙間を設けてシートを載置したときの様子を示す図である。
【図７】本発明の実施の一形態にかかる画像形成装置における、画像の形成条件を調整するための具体的な処理の流れを示すフローチャートである。
【図８】本発明の実施の一形態にかかる、操作パネルを示す図である。
【図９】本発明の他の実施形態にかかる画像形成装置を示す図である。
【図１０】本発明のさらに他の実施形態にかかる画像形成システムにおける制御条件を調整するための構成を示すブロック図である。
【図１１】上記画像形成システムの原稿台上に載置されたシートを示す平面図である。
【図１２】図１１とは異なる状態で、上記画像形成システムの原稿台上に載置されたシートを示す平面図である。
【図１３】図１２とは異なる状態で、上記画像形成システムの原稿台上に載置されたシートを示す平面図である。
【図１４】上記画像形成システムの読取手段の一部を示す断面図である。
【図１５】上記画像形成システムにおける調整動作を説明するフローチャートである。
【図１６】上記画像形成システムの操作パネルの一例を示す平面図である。
【図１７】（ａ）はシートの平面図であり、（ｂ）はさらに他のシートの平面図である。
【図１８】図１２および図１３とは異なるサイズのシートが上記画像形成システムの原稿台上に載置された状態を示す平面図である。
【図１９】上記画像形成システムの操作パネルの他の一例を示す平面図である。
【図２０】本発明のさらに他の実施の形態にかかる画像形成システムの構成を示す内部構成図である。
【図２１】（ａ）は上記画像形成システムの上記画像形成装置がシートに形成した枠画像の一例の様子を示す平面図であり、（ｂ）は上記画像形成装置が他のシートに形成した枠画像の一例の様子を示す平面図であり、（ｃ）は上記画像形成装置がさらに他のシートに形成した枠画像の一例の様子を示す平面図である。
【図２２】（ａ）は上記画像形成システムの上記画像形成装置がシートに形成した枠画像の他の一例の様子を示す平面図であり、（ｂ）は上記画像形成装置が他のシートに形成した枠画像の一例の様子を示す平面図であり、（ｃ）は上記画像形成装置がさらに他のシートに形成した枠画像の一例の様子を示す平面図である。
【図２３】（ａ）は上記画像形成システムの上記画像形成装置がシートに形成した枠画像のさらに他の一例の様子を示す平面図であり、（ｂ）は上記画像形成装置が他のシートに形成した枠画像の一例の様子を示す平面図であり、（ｃ）は上記画像形成装置がさらに他のシートに形成した枠画像の一例の様子を示す平面図である。
【図２４】（ａ）は上記画像形成システムの上記画像形成装置がシートに形成した枠画像のさらに他の一例の様子を示す平面図であり、（ｂ）は上記画像形成装置が他のシートに形成した枠画像の一例の様子を示す平面図であり、（ｃ）は上記画像形成装置がさらに他のシートに形成した枠画像の一例の様子を示す平面図である。
【図２５】（ａ）は上記画像形成システムの上記画像形成装置がシートに形成した枠画像のさらに他の一例の様子を示す平面図であり、（ｂ）は上記画像形成装置が他のシートに形成した枠画像の一例の様子を示す平面図であり、（ｃ）は上記画像形成装置がさらに他のシートに形成した枠画像の一例の様子を示す平面図である。
【図２６】図５とは異なる状態で、上記画像形成システムの原稿台上に載置されたシートを示す平面図である。
【図２７】図６とは異なる状態で、上記画像形成システムの原稿台上に載置されたシートを示す平面図である。
【図２８】上記画像形成システムにおける調整動作を説明するフローチャートである。
【図２９】上記画像形成装置の変形例を示す概略の断面図である。
【図３０】本発明のさらに他の実施の形態にかかる画像形成システムの構成を示す内部構成図である。
【符号の説明】
【０４４３】
１、１ａ、１ｂ                複合機（画像形成システム）
１００                        画像形成部（画像形成装置）
１００ａ                      画像形成装置
１００ｂ、１００ｃ、１００ｄ  画像形成部（画像形成装置）
２００、２００ｂ              読取手段（画像読取装置）
２００ａ                      スキャナ（読取手段）
２０９                        原稿台
５００、５００ａ              制御手段
５０５                        搬送手段
５０８                        操作部（操作手段）
５１０                        画像データ入力部（データ入力手段）
５１３                        書込み部（書込み手段）
６００                        演算手段
６００ａ                      コンピュータ
８１０                        原稿載置ガイド（原稿基準部材）
Ｔ                            基準マーク
Ｔ０                          センター位置
Ｐ                            基準画像（枠画像）
Ｑ、Ｑ１〜Ｑ１０              シート
【図１】
2005010733.tif 000002
【図２】
2005010733.tif 000003
【図３】
2005010733.tif 000004
【図４】
2005010733.tif 000005
【図５】
2005010733.tif 000006
【図６】
2005010733.tif 000007
【図７】
2005010733.tif 000008
【図８】
2005010733.tif 000009
【図９】
2005010733.tif 000010
【図１０】
2005010733.tif 000011
【図１１】
2005010733.tif 000012
【図１２】
2005010733.tif 000013
【図１３】
2005010733.tif 000014
【図１４】
2005010733.tif 000015
【図１５】
2005010733.tif 000016
【図１６】
2005010733.tif 000017
【図１７】
2005010733.tif 000018
【図１８】
2005010733.tif 000019
【図１９】
2005010733.tif 000020
【図２０】
2005010733.tif 000021
【図２１】
2005010733.tif 000022
【図２２】
2005010733.tif 000023
【図２３】
2005010733.tif 000024
【図２４】
2005010733.tif 000025
【図２５】
2005010733.tif 000026
【図２６】
2005010733.tif 000027
【図２７】
2005010733.tif 000028
【図２８】
2005010733.tif 000029
【図２９】
2005010733.tif 000030
【図３０】
2005010733.tif 000031